(57)【要約】【課題】より使いやすいリモコンシステム及びテレビ、リモコンを提供する。【解決手段】本発明のリモコンシステムはテレビ装置１と、リモコン２とを備えるとともに、相互通信を行う。リモコン２は、マイク２１１やスピーカ２１０を備えており、音源データの作成や音源データの出力を行う。また、無線通信モジュール１１５、２０２を使用することで、リモコン２において作成した音源データをテレビ装置１に送信したり、テレビ装置１からリモコン２に音源データを送信したりして音源データをやり取りし、テレビ装置１やリモコン２から出力する。【選択図】図１
2008219820.tif 000002
【特許請求の範囲】
【請求項１】
操作部と、操作信号を送信する送信部と、操作に関する音源データを音声として出力する出力部と、活性状態と休眠状態との間で切換わる給電部と、前記操作信号の送信が完了しても前記前記出力部による音声の出力が終了するまでは前記給電部が活性状態から休眠状態に切換るのを阻止する制御部とを有することを特徴とするリモコン。
【請求項２】
操作部と、操作信号を送信する送信部と、操作に関する音源データを音声として出力する出力部と、活性状態と休眠状態との間で切換わる給電部と、前記出力部を機能させる場合と機能させない場合で、前記給電部の活性状態から休眠状態への切換りが異なるよう制御する制御部とを有することを特徴とするリモコン。
【請求項３】
前記制御部は、前記送信部による送信終了から所定時間後に前記給電部の活性状態から休眠状態への切換えを行う制御手段と、前記出力部による音声の出力の終了に基づいて前記給電部の活性状態から休眠状態への切換えを行う制御手段とを有することを特徴とする請求項１又は２記載のリモコン。
【請求項４】
前記音源データはＡＤＰＣＭエンコードされていることを特徴とする請求項１から３のいずれかに記載のリモコン。
【請求項５】
前記音源データを受信する受信部を有することを特徴とする請求項１から４のいずれかに記載のリモコン。
【請求項６】
操作部と、操作信号を送信する送信部と、操作に関する音源データを音声として出力する出力部と、前記出力部から出力される音声の音量調節部とを有することを特徴とするリモコン。
【請求項７】
音量調節に用いる音源データを受信する受信部を有することを特徴とする請求項６記載のリモコン。
【請求項８】
前記音量調節部による音量調節のための音声出力中、外部の音声出力を禁止する信号を送信する送信部を有することを特徴とする請求項７記載のリモコン。
【請求項９】
テレビ画面と、スピーカと、前記テレビ画面とスピーカによりテレビ番組を出力する制御部と、エンコードされたテスト用音源データを送信する無線送信部と、前記無線送信部から前記エンコードされた音源データが送信されるとき前記スピーカからの音声出力を禁止する管理部とを有することを特徴とするテレビ。
【発明の詳細な説明】
【技術分野】
【０００１】
本発明はテレビ等の電子機器に用いられるリモコン、及び、このリモコンを利用するテレビに関する。
【背景技術】
【０００２】
現在、テレビやビデオ、ＤＶＤプレーヤ、オーディオセット等のＡＶ機器、その他電子機器において遠隔操作を可能とするためのリモコンが広く用いられている。電子機器の高機能化に伴い、リモコン自体も高機能となっている。このような高機能なリモコンとして、例えば、サブウインドウ表示が可能なテレビにおいて、サブウインドウの番組音声を出力できるリモコンが提案されている。又、室内で物陰に隠れて見失いがちなリモコンを探しやすくするために応答音を発することのできるテレビ用のリモコンと、リモコンを探す間はその応答音を聞き取りやすくするためにテレビの音声をミュートするシステムが提案されている。
【特許文献１】特開平１０−２４３４７６号公報
【特許文献２】特開２００２−２４７６７０号公報
【発明の開示】
【発明が解決しようとする課題】
【０００３】
しかし、音声出力可能なリモコンでは、音声出力系統に電流を流したままだと電池の消耗が激しく、電池を頻繁に交換する必要がある。又、消費電力の低減を考慮して、時間による電源管理を行った場合、音声アナウンスが完全に終了するまでに、電源が切断されて、音声アナウンスによって示す内容が把握できなくなる恐れがある。そこで、本発明は、より使いやすいリモコン及びテレビを提供することを目的とする。
【課題を解決するための手段】
【０００４】
上記目的を達成するために本発明のリモコンは、操作部と、操作信号を送信する送信部と、操作に関する音源データを音声として出力する出力部と、活性状態と休眠状態との間で切換わる給電部と、前記操作信号の送信が完了しても前記前記出力部による音声の出力が終了するまでは前記給電部が活性状態から休眠状態に切換るのを阻止する制御部とを有することを特徴とする。
【０００５】
又、本発明のリモコンは、操作部と、操作信号を送信する送信部と、操作に関する音源データを音声として出力する出力部と、活性状態と休眠状態との間で切換わる給電部と、前記出力部を機能させる場合と機能させない場合で、前記給電部の活性状態から休眠状態への切換りが異なるよう制御する制御部とを有することを特徴とする。
【０００６】
又、本発明は、上記構成のリモコンにおいて、前記制御部は、前記送信部による送信終了から所定時間後に前記給電部の活性状態から休眠状態への切換えを行う制御手段と、前記出力部による音声の出力の終了に基づいて前記給電部の活性状態から休眠状態への切換えを行う制御手段とを有することを特徴とする。
【０００７】
又、本発明は、上記構成のリモコンにおいて、前記音源データはＡＤＰＣＭエンコードされていることを特徴とする。
【０００８】
又、本発明は、上記構成のリモコンにおいて、前記音源データを受信する受信部を有することを特徴とする。
【０００９】
又、本発明のリモコンは、操作部と、操作信号を送信する送信部と、操作に関する音源データを音声として出力する出力部と、前記出力部から出力される音声の音量調節部とを有することを特徴とする。
【００１０】
又、本発明は、上記構成のリモコンにおいて、音量調節に用いる音源データを受信する受信部を有することを特徴とする。
【００１１】
又、本発明は、上記構成のリモコンにおいて、前記音量調節部による音量調節のための音声出力中、外部の音声出力を禁止する信号を送信する送信部を有することを特徴とする。
【００１２】
又、本発明のテレビは、テレビ画面と、スピーカと、前記テレビ画面とスピーカによりテレビ番組を出力する制御部と、エンコードされたテスト用音源データを送信する無線送信部と、前記無線送信部から前記エンコードされた音源データが送信されるとき前記スピーカからの音声出力を禁止する管理部とを有することを特徴とする。
【発明の効果】
【００１３】
本発明によると、高機能で電力消費量の多いリモコンにおいて、使用していない場合には休眠状態にすることができるため、電池の交換頻度を低くすることができる。又、電源を切断する時間が経過した場合においても、音声アナウンスが完全に終了するまでは、電源が切断されないため、音声アナウンスによって示す内容の把握を可能とすることができる。
【発明を実施するための最良の形態】
【００１４】
本発明の実施の形態におけるリモコンシステムについて、図面を参照して以下に説明する。尚、本実施形態では、テレビジョン放送を受信して再生するテレビジョン装置（以下、単に「テレビ装置」とする）におけるリモコンシステムを、例に挙げて説明する。
【００１５】
＜システムの構成＞
本発明の実施形態におけるリモコンシステムの構成について、図面を参照して説明する。図１は、本実施形態のリモコンシステムにおける各装置の内部構成と、その関係を示すブロック図である。
【００１６】
図１に示すリモコンシステムでは、地上波放送又は衛星放送などによるテレビジョン放送を受信して再生するテレビ装置１と、テレビ装置１を操作するためにテレビ装置１と無線通信を行うリモコン２と、を備える。このテレビ１とリモコン２との間では、ＷｉＦｉ（商標）を含むＩＥＥＥ８０２．１１規格による無線ＬＡＮ方式やＢｌｕｅｔｏｏｔｈ（商標）方式などによる無線通信を用いて、相互通信が行われる。
【００１７】
（テレビ装置）
まず、このような構成のリモコンシステムにおけるテレビ装置１の構成と動作の概要について、以下に説明する。図１に示すように、テレビ装置１は、アンテナ又はケーブル線などからテレビジョン放送を受信する放送受信インターフェース（Ｉ／Ｆ）１０１と、この放送受信Ｉ／Ｆ１０２で受信したテレビジョン放送を選局するチューナ１０２と、チューナ１０２で選局して得られた放送信号を復号化するデコーダ１０３と、デコーダ１０３で復号化して得られた映像信号をディスプレイ１０５で再生表示するための画像処理を行う表示制御部１０４と、映像の再生表示を行うディスプレイ１０５と、リモコン２による操作画面などに使用される図形画像やテキスト画像（ＯＳＤ（On Screen Display）画像）を記録した画像記憶部１０６と、デコーダ１０３で復号化された映像信号を一時的に記憶するフレームメモリ１０７と、デコーダ１０３で復号化されて得られた音声信号をアナログ信号に変換するＤＡＣ（Digital Analog Converter）１０８と、ＤＡＣ１０８で得られた音声信号を増幅するアンプ１０９と、アンプ１０９で増幅された音声信号により音声を再生出力するスピーカ１１０と、を備える。
【００１８】
又、このテレビ装置１は、装置全体の制御を行うＣＰＵ１１１と、各動作を行うためのプログラムを記憶したメモリ１１２と、デコーダ１０３で得られた音声信号をＡＤＰＣＭ（Adaptive Differential Pulse Code Modulation）方式などの符号化方式によってデータ量を抑えた再現性の高いデジタル信号に変換する音声用エンコーダ１１３と、音声用エンコーダ１１３と同一の符号化方式によって符号化された音源データを含む音声データを記憶する音声データメモリ１１４と、リモコン２と無線通信を行う無線通信モジュール１１５と、チューナ１０３で選局して得られた放送信号を動画コンテンツファイルとして記録するＨＤＤ（Hard Disk Drive）１１６と、テレビ装置１に対してユーザが操作を行う操作部１１７と、を備える。
【００１９】
このような構成のテレビ装置１において、デジタルテレビ放送を受信する場合、放送受信Ｉ／Ｆ１０１で受信した高周波信号（ＲＦ信号）となる放送信号がチューナ１０２に与えられる。そして、チューナ１０２において、所望のチャンネルの放送が選局されて中間周波数信号（ＩＦ信号）に変換された後、デジタル変調方式に基づいて復調を行い、所望チャンネルの放送信号を取得する。このとき、例えば、ＯＦＤＭ（Orthogonal Frequency Division Multiplex)）方式を用いた地上波デジタル放送の場合、チューナ１０２では、まず、選局して得たＩＦ信号より多重化された複数のキャリア信号を取得した後、各キャリア信号に対して、それぞれに割り当てられたQPSK（Quadrature Phase Shift Keying）やQAM（Quadrature Amplitude Modulation）などのデジタル変調方式によって復調することで、デジタル信号による放送信号が得られる。
【００２０】
得られた放送信号がデコーダ１０３に与えられると、デコーダ１０３では、例えば、ＭＰＥＧ圧縮符号化方式などの符号化方式によって、放送信号が復号化されることで、映像信号及び音声信号が得られる。そして、映像信号が表示制御部１０４に与えられると、スケーリング処理などの画像処理が施された後、ディスプレイ１０５に与えられ、受信したテレビ放送の映像が再生出力される。又、デコーダ１０３で得られた音声信号がＤＡＣ１０８に与えられてアナログ信号となる音声信号に変換されると、この音声信号による音声がスピーカ１１０より再生出力される。
【００２１】
このようにテレビ放送を再生出力するテレビ装置１において、チューナ１０２は、複数のチャンネルのテレビ放送が選局できる構成とする。即ち、ディスプレイ１０５に複数画面表示をする際に画面数に応じた放送信号が受信できるように、チューナ１０２には、複数のチャンネルを選局するためのチューナ回路が、選局する数だけ構成される。そして、選局された複数の放送信号がデコーダ１０３で復号化されることで、複数の映像信号が得られると、この複数の映像信号が表示制御部１０４で合成されることで、ディスプレイ１０５において複数画面表示が成される。
【００２２】
よって、ディスプレイ１０５に映像表示する際に、メイン画面に１つのサブ画面が合成される場合、２つのチューナ回路によって、メイン画面及びサブ画面それぞれで再生される放送信号が選局されることとなる。そして、選局されて得られた２つの放送信号がデコーダ１０３に与えられると、デコーダ１０３で復号化されて、メイン画面及びサブ画面それぞれに対応する映像信号が得られる。この２つの放送信号に基づく映像信号が表示制御部１０４に与えられることで、サブ画面となる映像信号が間引き処理などによる画像処理が成されて縮小されて、メイン画面となる映像信号に合成される。
【００２３】
又、表示制御部１０４は、この複数画面表示以外に、ＯＳＤ表示が求められたとき、画像記憶部１０６に記憶されたＯＳＤ画像が読み出されて、ディスプレイ１０５に表示するための画像合成が成される。このとき、デコーダ１０３又はフレームメモリ１０７からの映像信号による映像にＯＳＤ画像を合成する場合は、表示制御部１０４において、ＯＳＤ画像のスケーリング処理や、ＯＳＤ画像合成後の画像に対するエッチング処理などの画像処理が施される。尚、画像記憶部１０６に記憶されたＯＳＤ画像がディスプレイ１０５に単独で表示される場合もある。
【００２４】
ＨＤＤ１１６への記録が求められる場合は、チューナ１０２で得られた放送信号が、ＣＰＵ１１１を通じてＨＤＤ１１６へ与えられ、ＨＤＤ１１６に記録される。尚、ＨＤＤ１１６で記録する動画コンテンツファイルの符号化方式がデコーダ１０３の符号化方式と異なる場合は、デコーダ１０３で復号化されて得られた映像信号及び音声信号に対して、ＨＤＤ１１６に記録するための符号化方式に基づいて符号化を行った後、ＨＤＤ１１６に記録する。
【００２５】
更に、ＨＤＤ１１６からの再生が求められた場合は、ＨＤＤ１１６に記録された動画コンテンツファイルが読み出され、ＣＰＵ１１１を通じてデコーダ１０３に与えられる。そして、デコーダ１０３によって映像信号及び音声信号に変換されると、この映像信号及び音声信号による映像及び音声が、ディスプレイ１０５及びスピーカ１１０それぞれより再生出力される。尚、ＨＤＤ１１６で記録する動画コンテンツファイルの符号化方式がデコーダ１０３の符号化方式と異なる場合は、ＨＤＤ１１６で読み出した動画コンテンツファイルを、ＨＤＤ１１６に記録するための符号化方式に基づいて復号化して、映像信号及び音声信号を取得する。そして、取得した映像信号及び音声信号を、表示制御部１０６及びアンプ１０９に与えることで、映像及び音声を、ディスプレイ１０５及びスピーカ１１０それぞれより再生出力する。
【００２６】
無線通信モジュール１１５では、リモコン２より受信した無線通信信号を無線通信方式に基づいて復調及び復号化する。このとき、テレビ装置１に対する操作要求データとなる無線通信信号を受信した場合は、ＣＰＵ１１１で操作要求データが解析されて、その操作要求データに基づいて各ブロックに命令が与えられ、リモコン２で取得された音声データの場合は、音声データメモリ１１４に与えられて記録される。
【００２７】
又、無線通信モジュール１１５では、リモコン２に与える各種データを、無線通信方式に基づいて符号化及び変調する。このとき、ＣＰＵ１１１からは、リモコン２に対してテレビ装置１の状態を示す状態データが、音声データメモリ１１４からは、記録した音源データを含む音声データが、音声用エンコーダ１１３からは、デコーダ１０３からの音声信号を符号化した音声データが、それぞれ無線通信モジュール１１５に与えられる。
【００２８】
（リモコン）
次に、上述のような構成のリモコンシステムにおけるリモコン２の構成と動作の概要について、以下に説明する。図１に示すように、リモコン２は、ユーザによって操作される操作部２０１と、テレビ装置１と無線通信を行う無線通信モジュール２０２と、操作部２０１が操作されたときや無線通信モジュール２０２がテレビ装置１からの無線通信信号を受信したときにリモコン２をスリープ状態から起動させる信号をＣＰＵ２０４に与えるワッチドッグ２０３と、リモコン２の装置全体を制御するＣＰＵ２０４と、各動作を行うためのプログラムを記憶したメモリ２０５と、リモコン２を構成する各ブロックに電源供給を行う電源部２０６と、を備える。
【００２９】
そして、このリモコン２は、音源データを含む音声データをＡＤＰＣＭ方式などの符号化方式（テレビ装置１の音声用エンコーダ１１３と同じ符号化方式）によって復号化する音声用デコーダ２０７と、音声用デコーダ２０７で復号化された音声信号をアナログ信号に変換するＤＡＣ２０８と、ＤＡＣ２０８で得られたアナログ信号となる音声信号を増幅するアンプ２０９と、アンプ２０９で増幅された音声信号に基づいて音声を出力するスピーカ２１０と、を備える。
【００３０】
又、リモコン２は、外部の音声を電気信号となる音声信号に変換するマイク２１１と、マイク２１１で得られたアナログ信号となる音声信号をデジタル信号に変換するＡＤＣ（Analog Digital Converter）２１２と、ＡＤＣ２１２で得られた音声信号を音声用デコーダ２０７と同じ符号化方式によって符号化する音声用エンコーダ２１３と、音声用エンコーダ２１３からの音声データや無線通信モジュール２０２で受信した音声データを一時的に記憶する音声データメモリ２１４と、リモコン２に機械的な振動を与えるバイブレーションユニット２１５と、を備える。
【００３１】
このような構成のリモコン２において、テレビ装置１からの無線通信信号を無線通信モジュール２０２が受信すると、無線通信方式に基づいて復調及び復号化する。このとき、受信した無線通信信号より状態データが得られると、この状態データがＣＰＵ２０４に与えられて、その内容が解析される。
【００３２】
又、受信した無線通信信号より音源データを含む音声データが得られると、この音声データが一時的に音声データメモリ２１４に記憶される。そして、音声データメモリ２１４に記憶された音声データが読み出されて、音声用デコーダ２０７に与えられると、テレビ装置１の音声用エンコーダ１１３と同じ符号化方式によって復号化された後、ＤＡＣ２０８によってアナログ信号に変換される。このアナログ信号となる音声信号がアンプ２０９に与えられることによって、受信した音声データによる音声がスピーカ２１０より再生出力される。
【００３３】
又、操作部２０１は、テレビ装置１のディスプレイ１０５に表示されたＯＳＤ画像によるＧＵＩ（Graphic User Interface）を操作するためのユニットで構成され、ＯＳＤ画像表示におけるポインタベクトルを２次元で移動させる位置設定操作と、ポインタベクトルによって示される内容の決定を行う内容指定操作とが可能な簡易な構成のユニットで構成される。そして、操作部２０１が操作されると、その操作内容がＣＰＵ２０４に与えられて、操作要求データが生成される。この操作要求データが無線通信モジュール２０２に与えられることで、無線通信方式に基づいて符号化及び変調が行われて、無線通信信号に変換されて、テレビ装置１に送信される。
【００３４】
この操作部２０１は、例えば、３次元（３Ｄ）フォースセンサやタッチパネルなどによって、上述の位置操作設定操作と内容指定操作とが可能な簡易な構成とすることができる。尚、３Ｄフォースセンサやタッチパネルなどによる操作部２０１は、その設けられた面に水平な方向に２次元に操作されることで、その方向を示す位置設定操作がなされる。又、操作部２０１の設けられた面に対して垂直な方向に操作されることで、内容の決定を行う内容指定操作が成される。
【００３５】
又、外部音声をマイク２１１によって入力すると、マイク２１１で電気信号となる音声信号に変換された後、ＡＤＣ２１２によって、アナログ信号である音声信号がデジタル信号に変換される。そして、このデジタル信号となる音声信号が音声用エンコーダ２１３に与えられることで、ＡＤＰＣＭ方式などの符号化方式によって符号化されることで音声データが得られる。
【００３６】
この音声用エンコーダ２１３での符号化によって得られた音声データは、音声データメモリ２１４に与えられて記憶される。このようにして音声データメモリ２１４に記憶された音声データは、テレビ装置１に送信されて記憶する場合、読み出されて無線通信モジュール２０２に与えられ、無線通信方式に基づいて符号化及び変調が行われることで無線通信信号に変換されて、テレビ装置１に送信される。
【００３７】
更に、リモコン２は、操作部２０１への操作や無線通信モジュール２０２での無線通信信号の受信がないとき、電源部２０６から供給される電力を小さくして低消費電力化を図るために、無線通信モジュール２０２及びワッチドッグ２０３及びＣＰＵ２０４の一部にのみ電源部２０６からの電源供給が行われるスリープ状態とされる。このスリープ状態とされるとき、ワッチドッグ２０３では、所定時間Ｔ０毎に、操作部２０１への操作の有無と、無線通信モジュール２０２での受信の有無とを確認する。そして、操作部２０１への操作又は無線通信モジュール２０２での無線通信信号の受信のいずれかをワッチドッグ２０３が確認すると、ＣＰＵ２０４に通知することで、スリープ状態を解除する。このとき、電源部２０６によって電源供給が成されていないブロックに対しても電源供給を行うことでリモコン２をＯＮ状態とする。
【００３８】
又、バイブレーションユニット２１５は、スピーカ２１０から再生出力される音声に応じてリモコン２に振動が与えられる。この振動については、再生出力される音声の種類によって、その振動の周期の組み合わせや振動の長さなどによる振動の種類が変更されるものであっても構わない。
【００３９】
（リモコンによる各種動作処理）
上述のように、テレビ装置１及びリモコン２が構成されるリモコンシステムにおける、リモコン２による各種動作処理の詳細について、以下に説明する。
【００４０】
（１）基本動作
まず、操作部２０１が操作されてスリープ状態から起動するときのリモコン２の動作について、図２のフローチャートを参照して説明する。図２は、リモコン２における基本動作を示すフローチャートである。上述したように、ワッチドッグ２０３によって操作部２０１からの信号を検知して、操作部２０１への操作が成されたことが検出されることで、操作部２０１への操作による基本動作が開始する（ＳＴＥＰ１）。
【００４１】
この操作部２０１への操作が検出されると、ワッチドッグ２０３からＣＰＵ２０４へ通知され、ＣＰＵ２０４がスリープ状態の解除を行うため、電源部２０６によってＣＰＵ２０４全体に電源供給が行われるように制御する（ＳＴＥＰ２）。尚、以下では省略するが、各操作において必要となるブロックに対して電源供給を行うように、ＣＰＵ２０４によって電源部２０６の電源供給動作が制御される。
【００４２】
そして、ＣＰＵ２０４では、操作部２０１からの信号が確認し、内容指定操作であるか否かが確認される（ＳＴＥＰ３）。尚、操作部２０１が３Ｄフォースセンサで有る場合、この内容指定操作が、操作部２０１となる３Ｄフォースセンサの設置面に対して垂直な方向への操作となる。又、この内容指定操作は、テレビ装置１の電源がＯＦＦのときにテレビ装置１の電源をＯＮとする機能をも備える。
【００４３】
操作部２０１からの信号により内容指定操作がなされたことを確認すると（ＳＴＥＰ３でＹｅｓ）、ＣＰＵ２０４によってテレビ装置１が電源ＯＮとされているか否かを確認するための操作要求データを生成して、無線通信モジュール２０２より送信する（ＳＴＥＰ４）。そして、所定時間Ｔ１の間にテレビ装置１からの応答信号となる無線通信信号を無線通信モジュール２０２で受信したか否かによって、テレビ装置１が電源ＯＮとされているか否かを確認する（ＳＴＥＰ５）。
【００４４】
テレビ装置１から送信される無線通信信号を無線通信モジュール２０２が所定時間Ｔ１の間に受信しなかった場合（ＳＴＥＰ５でＮｏ）、テレビ装置１を電源ＯＮとすることを要求する操作要求データをＣＰＵ２０４によって生成し、無線通信モジュール２０２より無線通信信号としてテレビ装置１に送信する（ＳＴＥＰ６）。尚、無線通信信号を無線通信モジュール２０２が受信した場合においても、受信した無線通信信号による状態データよりテレビ装置１が電源ＯＮであることが確認されなかった場合においても、ＳＴＥＰ６の動作を行うものとしても構わない。
【００４５】
その後、更に、所定時間Ｔ２内にテレビ装置１からの無線通信信号を受信し、その無線通信信号が電源ＯＮとなったことを示す状態データによる信号であるか否かが、ＣＰＵ２０４において確認される（ＳＴＥＰ７）。このとき、ＣＰＵ２０４において、受信した無線通信信号の状態データより、テレビ装置１が電源ＯＮとなったことを確認すると（ＳＴＥＰ７でＹｅｓ）、ＣＰＵ２０４で、テレビ装置１から送信される無線通信信号を無線通信モジュール２０２が受信し、ＣＰＵ２０４によって、ＯＳＤ画像表示を要求する操作要求データを生成する（ＳＴＥＰ８）。
【００４６】
そして、この操作要求データによる無線通信信号をテレビ装置１に対して無線通信モジュール２０２より送信する。又、その無線通信信号による状態データより電源ＯＮであることを確認したときも（ＳＴＥＰ５でＹｅｓ）、ＳＴＥＰ８に移行して、テレビ装置１に対して、ＯＳＤ画像表示を要求する操作要求データによる無線通信信号を送信する。テレビ装置１のディスプレイ１０５におけるＯＳＤ画像表示例を、図３に示す。尚、この図３に示すＯＳＤ画像表示については、後述する。
【００４７】
ＯＳＤ画像表示を要求する無線通信信号を送信してからの時間がＣＰＵ２０４によって計測され、所定時間Ｔ３内に、操作部２０１によって位置設定操作がなされたか否かがＣＰＵ２０４によって確認される（ＳＴＥＰ９）。このとき、操作部２０１での操作が確認されなかった場合（ＳＴＥＰ９でＮｏ）、ＣＰＵ２０４において音源データの送信を要求する操作要求データが生成され、無線通信モジュール２０２より無線通信信号として送信される（ＳＴＥＰ１０）。即ち、ユーザに対して、テレビ装置１のディスプレイ１０５に表示されたＯＳＤ画像におけるポインタベクトルの移動を促すために、「ポインタ移動せよ」という音声による音源データの送信を、テレビ装置１に対して要求する。
【００４８】
その後、無線通信モジュール２０２において、テレビ装置１からの音源データによる無線通信信号の受信を確認すると、受信した無線通信信号が復調及び復号化されて、音源データが得られて、音声データメモリ２１４に記憶される（ＳＴＥＰ１１）。この音声データメモリ２１４に記憶された音源データは、音声用デコーダ２０７によって読み出されると、ＡＤＰＣＭ方式などの符号化方式によって復号化されるとともに、ＤＡＣ２０８でアナログ信号に変換された後、アンプ２０９で増幅されてスピーカ２１０より再生出力される（ＳＴＥＰ１２）。このとき、ユーザに位置設定操作を要求するために、「ポインタ移動せよ」という音声がスピーカ２１０より再生出力される。
【００４９】
この「ポインタ移動せよ」という音声を再生出力してからの時間がＣＰＵ２０４によって計測され、所定時間Ｔ４内に、操作部２０１によって位置設定操作がなされたか否かがＣＰＵ２０４によって確認される（ＳＴＥＰ１３）。ＳＴＥＰ９又はＳＴＥＰ１３で位置設定操作がなされたことを確認すると（Ｙｅｓ）、操作部２０１の位置設定操作によって指定された方向を示す操作要求データがＣＰＵ２０４で生成されて、無線通信モジュール２０２より無線通信信号として送信される（ＳＴＥＰ１４）。即ち、テレビ装置１のディスプレイ１０５に表示されたＯＳＤ画像におけるポインタベクトルの移動方向が、位置設定操作によって決定され、その移動方向を示す操作要求データがＣＰＵ２０４で生成される。又、ＳＴＥＰ３において、操作部２０１によって位置設定操作がなされたときも（Ｎｏ）、ＳＴＥＰ１４に移行する。
【００５０】
ＳＴＥＰ１４において、位置設定操作で指定された方向示す操作要求データによる無線通信信号が送信されると、テレビ装置１から操作後のポインタベクトルによって示される位置に関する情報を状態データとする無線通信信号を無線通信モジュール２０２で受信する（ＳＴＥＰ１５）。このとき、ポインタベクトルによって示される位置が、リモコン操作処理を指定する領域内にある場合は、その領域におけるリモコン操作処理の内容を示す情報を状態データとして、無線通信信号がテレビ装置１より送信される。又、ポインタベクトルによって示される位置が、リモコン操作処理を指定する領域内にない場合は、リモコン操作処理が指定されていないことを示す情報を状態データとして、無線通信信号がテレビ装置１より送信される。
【００５１】
そして、無線通信モジュール２０２で受信した無線通信信号より得られる状態データより、テレビ装置１のディスプレイ１０５に表示されるＯＳＤ画像上においてポインタベクトルの示す位置に関する内容が、ＣＰＵ１０４で解析され、ポインタベクトルによってリモコン操作処理の１つが指し示されているか否かが確認される（ＳＴＥＰ１６）。即ち、テレビ装置１のディスプレイ１０５に表示されるＯＳＤ画像上において、ポインタベクトルの位置が、リモコン操作処理を指定する領域に存在するか否かが確認される。
【００５２】
受信した無線通信信号の状態データによって、リモコン操作処理の１つが示されていることが確認されると（ＳＴＥＰ１６でＹｅｓ）、状態データより確認されたリモコン操作処理をメモリ２０５に一時的に記憶する（ＳＴＥＰ１７）。又、受信した無線通信信号の状態データによって、リモコン操作処理が示されていないことが確認されると（ＳＴＥＰ１６でＮｏ）、ＳＴＥＰ９に移行して、前回の位置設定操作が確認されてから所定時間Ｔ３の間に、次の位置設定操作が操作部２０１において成されたか否かが確認される。
【００５３】
そして、ＳＴＥＰ１７における記憶動作を行うと、ＳＴＥＰ１０〜ＳＴＥＰ１２と同様、音源データの送信を要求する操作要求データによる無線通信信号を送信した後（ＳＴＥＰ１８）、受信した無線通信信号からの音源データを音声データメモリ２１４に記憶し（ＳＴＥＰ１９）、この音声データを音声用デコーダ２０７で復号化することでスピーカ２１０より音声を再生出力する（ＳＴＥＰ２０）。このとき、テレビ装置１のディスプレイ１０５に表示されたＯＳＤ画像のポインタベクトルによって示される処理内容の決定をユーザに促すために、「決定せよ」という音源データをテレビ装置１に要求して受信し、スピーカ２１０で再生出力する。
【００５４】
そして、「決定せよ」という音声を再生出力してからの時間がＣＰＵ２０４によって計測され、所定時間Ｔ５内に、操作部２０１によって内容指定操作がなされたか否かがＣＰＵ２０４によって確認される（ＳＴＥＰ２１）。メモリ２０５に記憶されたリモコン操作処理に応じた処理動作を行う（ＳＴＥＰ２２）。尚、ＳＴＥＰ２１におけるリモコン操作処理動作については、後述する。
【００５５】
又、ＳＴＥＰ７において、所定時間Ｔ２内に、テレビ装置１が電源ＯＮとなったことを示す無線通信信号の受信が確認されなかった場合（Ｎｏ）、音声データメモリ２１４に記憶された警告アナウンス用の音源データが読み出されて、スピーカ２１０により再生出力される（ＳＴＥＰ２３）。即ち、「電源ＯＮになっていません」又は「通信不可能です」というような音源データが音声データメモリ２１４より読み出されて、音声用デコーダ２０７で復号化された後、ＤＡＣ２０８でアナログ信号に変換される。そして、この警告アナウンス用の音声の音声信号がアンプ２０９で増幅されて、スピーカ２１０より再生出力される。
【００５６】
このようにして、警告アナウンスによる音声がスピーカ２１０より再生出力されると、現在、スピーカ２１０より再生出力している音声アナウンスが終了したか否かを、ＣＰＵ２０４が確認する（ＳＴＥＰ２４）。又、ＳＴＥＰ１３又はＳＴＥＰ２１のそれぞれにおいて、要求される操作部２０１による各操作が成されなかったときについても同様に（Ｎｏ）、ＳＴＥＰ２４に移行して、現在、再生出力している音声アナウンスが終了したか否かが確認される。
【００５７】
そして、ＳＴＥＰ２４において、現在、スピーカ２１０より再生出力している音声アナウンスが終了したことを、ＣＰＵ２０４が確認すると（Ｙｅｓ）、リモコン２がスリープ状態に遷移する（ＳＴＥＰ２５）。即ち、ＣＰＵ２０４が、電源部２０６に対して、無線通信モジュール２０２及びワッチドッグ２０３及びＣＰＵ２０４の一部にのみ電源供給を行い、その他の電源供給を停止させるように、制御を行うことにより、スリープ状態へ遷移する。
【００５８】
（１−１）基本動作の別例１
上述の動作では、ＳＴＥＰ３〜ＳＴＥＰ８において、操作部２０１による内容指定操作が行われて、スリープ状態が解除されたとき、テレビ装置１がＯＮであるか否かが確認されるとともに、テレビ装置１がＯＮとなっている又はＯＮとなると、ＯＳＤ画像を表示することを要求するものとした。しかしながら、スリープ状態の解除が、操作部２０１による位置設定操作又は内容指定操作のいずれをトリガとする場合によっても、テレビ装置１がＯＮであるか否かが確認されるとともに、テレビ装置１がＯＮとなっている又はＯＮとなると、ＯＳＤ画像を表示することを要求するものとしても構わない。
【００５９】
このとき、例えば、ＳＴＥＰ２におけるスリープ状態の解除動作を行った後、ＳＴＥＰ４〜ＳＴＥＰ７の動作を行うことで、テレビ装置１がＯＮであるか否かを確認して、テレビ装置１が電源ＯＮでないときは、電源ＯＮとすることを要求する無線通信信号を送信する。そして、ＳＴＥＰ８によってＯＳＤ画像の表示を要求した後、ＳＴＥＰ３に移行して、操作部２０１に対する操作が、内容指定操作及び位置設定操作のいずれであるかを判定するものとしても構わない。
【００６０】
（１−２）基本動作の別例２
又、ＳＴＥＰ３〜ＳＴＥＰ８までの動作を同様の動作とし、ＳＴＥＰ３において、操作部２０１に対する操作が位置設定操作であることを確認したとき（Ｎｏ）、ＳＴＥＰ４及びＳＴＥＰ５と同様の動作を行って、テレビ装置１が電源ＯＮであるか否かを確認するものとしても構わない。このとき、テレビ装置１が電源ＯＮであることを確認したときは、ＳＴＥＰ１４に移行して、位置設定操作を示す操作要求データによる無線通信信号を送信する。又、テレビ装置１が電源ＯＮでないことを確認したときは、ＳＴＥＰ２１に移行して、スピーカ２１０よりテレビ装置１が電源ＯＮでないことを示す警告アナウンスを再生出力する。
【００６１】
（１−３）基本動作の別例３
更に、ＳＴＥＰ３において、操作部２０１に対する操作が位置設定操作であることを確認した後、テレビ装置１が電源ＯＮであることを確認したとき、ＯＳＤ画像が表示されているか否かをテレビ装置１に確認するための無線通信信号を送信するものとしても構わない。そして、ＯＳＤ画像が表示されていないことを確認したとき、ＳＴＥＰ８と同様、ＯＳＤ画像の表示を要求するための無線通信信号を送信した後、ＳＴＥＰ１４に移行する。又、ＯＳＤ画像が表示されているときは、直接、ＳＴＥＰ１４に移行する。
【００６２】
（１−４）基本動作の別例４
又、ＳＴＥＰ８において、ＯＳＤ画像の表示をテレビ装置１に要求した後、ＳＴＥＰ９〜ＳＴＥＰ１２の処理動作を行う間に、操作部２０１によって内容指定操作が成されたか否かを確認するものとしても構わない。このとき、このＳＥＴＰ９〜ＳＴＥＰ１２の処理動作を行う間に、操作部２０１による内容指定操作が成された場合、ＳＴＥＰ２０に移行して、内容指定操作が成されたことを示す操作要求データによる無線通信信号が送信される。そして、ディスプレイ１０５で表示されるＯＳＤ画像上のポインタベクトルで指定される処理内容が確認されるとともに、指定された処理内容に応じたリモコン操作処理が成される。
【００６３】
（２）ＯＳＤ画像表示
テレビ装置１のディスプレイ１０５におけるＯＳＤ画像表示について、図３の表示例を参照して、簡単に説明する。テレビ装置１において、ＯＳＤ画像がディスプレイ１０５に表示されるとき、表示制御部１０４によって、デコーダ１０３で得られた映像信号に重畳されるように、画像記憶部１０６に記憶されたＯＳＤ画像による画像信号が合成される。これによって、図３に示すように、チューナ１０２で選局した放送信号又はＨＤＤ１１６より読み出した動画コンテンツファイルに対する映像上に重なるように、ＯＳＤ画像が表示されることとなる。
【００６４】
このとき、図３に示すディスプレイ１０５での画面表示では、各領域を指し示すためのポインタベクトル５００と、リモコン操作処理を選択するためのメニューを表示させるためのメニューボタン領域５０１と、テレビ装置１のスピーカ１１０より再生出力される音声の音量の設定ボタンと音量の状態表示がなされる音量設定領域５０２と、テレビ装置１のチューナ１０２で選局されるチャンネルの設定ボタンと選局されたチャンネルの表示がなされるチャンネル設定領域５０３と、数字や符号を設定するためのテンキー領域５０４と、テレビ装置１の電源ＯＦＦを指定するための電源ＯＦＦ領域５０５と、ＯＳＤ画像表示を１画面前の表示に戻す又はＯＳＤ画像を非表示とすることを指定するための画面戻し領域５０６とが、ＯＳＤ画像として、デコーダ１０３で得られた映像信号による映像に重ねて表示される。
【００６５】
このようにしてＯＳＤ画像がディスプレイ１０５に表示されるとき、リモコン２から送信される無線通信信号より、位置設定操作がなされたことが確認されると、位置設定操作より示される方向（ベクトル量）に、ポインタベクトル５００がディスプレイ１０５の画面上を移動する。又、リモコン２から送信される無線通信信号より、内容指定操作がなされたことが確認されると、ポインタベクトル５００が指し示す領域に対応する各操作が成される。
【００６６】
このとき、メニューボタン領域５０１にポインタベクトル５００が位置するとともに、リモコン２で内容指定操作が成された場合、リモコン２によるレコーダ機能や、サブ画面の表示機能や、ＨＤＤ１１６に対する記録再生機能や、リモコン２の音量設定機能などの各種設定動作を指定するためのメニュー表示が成される。このメニュー表示用の画像についても、ポインタベクトル５００を伴ったＯＳＤ画像として、図３の表示例と同様、デコーダ１０３からの映像に重ねて表示される。
【００６７】
更に、音量設定領域５０２は、ポインタベクトル５００で指定されることで音量を所定量毎に大きくするボタン領域５０２ａと、ポインタベクトル５００で指定されることで音量を所定量毎に小さくするボタン領域５０２ｂと、現在の音量の状態を表示するとともにポインタベクトル５００に位置指定が成されることで適当な音量に設定される音量バー領域５０２ｃとによって構成される。
【００６８】
又、チャンネル設定領域５０３は、ポインタベクトル５００で指定されることで１チャンネル毎に大きくするボタン領域５０３ａと、ポインタベクトル５００で指定されることで１チャンネル毎に小さくするボタン領域５０３ｂと、現在のチャンネルを表示するチャンネル表示領域５０３ｃとによって構成される。又、テンキー５０４内の数字をポインタベクトル５００で指定することで、任意のチャンネル番号を指定することができる。
【００６９】
又、画面戻し領域５０６がポインタベクトル５００で指定されると、例えば、上述したメニュー表示となるＯＳＤ画像による画面が表示されている場合は、図３に示すＯＳＤ画像による画面に戻る。又、図３に示すＯＳＤ画像による画面が表示されているときに、画面戻し領域５０６が指定されると、ＯＳＤ画像が非表示とされて、デコーダ１０３によって得られた映像信号による映像のみが、ディスプレイ１０５上に再生表示されることとなる。尚、この画面戻し領域５０６が指定されることによって成される上述の処理を、以下では、「画面戻し処理」と呼ぶ。
【００７０】
（３）リモコン操作処理動作
次に、図２のフローチャートによる基本動作におけるＳＴＥＰ２２でのリモコン操作処理動作について、図４のフローチャートを参照して説明する。まず、ＣＰＵ２０４では、ＳＴＥＰ１７でメモリ２０３に記憶したリモコン操作処理の内容が読み出して、そのリモコン操作処理が、テレビ装置１の電源をＯＦＦとする電源ＯＦＦ処理であるか否かが確認される（ＳＴＥＰ４０１）。
【００７１】
そして、確認したリモコン操作処理が電源ＯＦＦ処理でなかった場合は（ＳＴＥＰ４０１でＮｏ）、ＣＰＵ２０４において、更に、メモリ２０３より確認したリモコン操作処理が、ディスプレイ１０５の画面を元の画面に切り換える画面戻し処理であるか否かが確認される（ＳＴＥＰ４０２）。このとき、確認したリモコン操作処理が画面戻し処理でなかった場合は（ＳＴＥＰ４０２でＮｏ）、ＣＰＵ２０４によって、メモリ２０３内に記憶された動作状態が認識され、リモコン２での音声ガイダンス機能がＯＮとされているか否かが確認される（ＳＴＥＰ４０３）。
【００７２】
音声ガイダンス機能がＯＮとされていることが確認されると（ＳＴＥＰ４０３でＹｅｓ）、ＣＰＵ２０４では、まず、確認されたリモコン操作処理がチャンネル設定処理又はテレビ装置１側での音量設定処理のいずれかであるか否かが確認される（ＳＴＥＰ４０４）。このとき、チャンネル設定処理又はテレビ装置１側での音量設定処理のいずれかである場合（ＳＴＥＰ４０４でＹｅｓ）、内容指定操作が成されて決定したことを示す操作要求データによる無線通信信号を、テレビ装置１に送信する（ＳＴＥＰ４０５）。
【００７３】
即ち、テレビ装置１のディスプレイ１０５上で表示されるＯＳＤ画像内における、ポインタベクトルによって指定された領域に従って、テレビ装置１が設定動作を行うのみであるので、内容指定操作が成されて決定したことを示す操作要求データをＣＰＵ２０４で生成する。そして、無線通信モジュール２０２よりテレビ装置１に、この操作要求データによる無線通信信号を送信する。よって、テレビ装置１では、現在ポインタベクトルが指定する領域に応じた設定動作を行う。即ち、テレビ装置１において、チューナ１０２で選局するチャンネルの設定、又は、スピーカ１１０の音量設定が行われる。
【００７４】
そして、チャンネル設定処理又はテレビ装置１側での音量設定処理でないことが確認されたとき（ＳＴＥＰ４０４でＮｏ）、又は、ＳＴＥＰ４０５で無線通信信号の送信が完了すると、ＣＰＵ２０４で確認されたリモコン操作処理が、上述したレコーダ機能やサブ画面表示機能などの各種機能設定を行うためのメニュー閲覧処理であるか否かが確認される（ＳＴＥＰ４０６）。
【００７５】
このとき、メニュー閲覧処理のであることが確認された場合（ＳＴＥＰ４０６でＹｅｓ）、ＳＴＥＰ４０５と同様、内容指定操作が成されて決定したことを示す操作要求データによる無線通信信号を、テレビ装置１に送信する（ＳＴＥＰ４０７）。よって、テレビ装置１では、現在ポインタベクトルが指定する領域（図３におけるメニューボタン領域５０１）を確認する。そして、リモコン２によるレコーダ機能や、サブ画面の表示機能や、ＨＤＤ１１６に対する記録再生機能や、リモコン２の音量設定機能などの各種設定動作を指定するためのメニュー表示が成される。
【００７６】
その後、図２のフローチャートにおけるＳＴＥＰ１０〜ＳＴＥＰ１２と同様、音源データの送信を要求する操作要求データによる無線通信信号を送信した後（ＳＴＥＰ４０８）、受信した無線通信信号からの音源データを音声データメモリ２１４に記憶し（ＳＴＥＰ４０９）、この音声データを音声用デコーダ２０７で復号化することでスピーカ２１０より音声を再生出力する（ＳＴＥＰ４１０）。このとき、テレビ装置１のディスプレイ１０５に表示されたＯＳＤ画像によるメニューで示される各種設定動作を選択することをユーザに促すために、「メニュー選択せよ」という音源データをテレビ装置１に要求して受信し、スピーカ２１０で再生出力する。
【００７７】
そして、メニュー閲覧処理でないことが確認されたとき（ＳＴＥＰ４０６でＮｏ）、又は、ＳＴＥＰ４１０でのアナウンスが成されると、ＣＰＵ２０４がメモリ２０５の記憶内容を確認することによって、テレビ装置１のディスプレイ１０５において、既にＯＳＤ画像によるメニューの表示が成されているときの操作であったか否かが確認される（ＳＴＥＰ４１１）。即ち、テレビ装置１のディスプレイ１０５で表示されるＯＳＤ画像による画面が、図３の表示でメニューボタン領域５０１が選択されることによるメニュー表示画面であるときに、リモコン２が操作されることで確定されたものであるか否かが確認される。
【００７８】
ＳＴＥＰ４１１において、ディスプレイ１０５上のＯＳＤ画像によってメニュー表示が成されているときに操作されて、メニューによって指定される各機能に関する処理が指定されたことが確認されると（Ｙｅｓ）、ＣＰＵ２０４がメモリ２０５の記憶内容を確認することで、サブ画面表示機能が指定されたか否かが確認される（ＳＴＥＰ４１２）。サブ画面表示機能が指定されたことを確認すると（ＳＴＥＰ４１２でＹｅｓ）、後述するサブ画面表示処理動作が行われる（ＳＴＥＰ４１３）。
【００７９】
そして、サブ画面表示機能が指定されていなかったとき（ＳＴＥＰ４１２でＮｏ）、又は、ＳＴＥＰ４１３におけるサブ画面表示処理動作が成されたとき、次に、メモリ２０５の記憶内容より、リモコン２によるレコーダ機能が指定されたか否かが確認される（ＳＴＥＰ４１４）。リモコン２によるレコーダ機能が指定されたことを確認すると（ＳＴＥＰ４１４でＹｅｓ）、後述するレコーダ処理動作が行われる（ＳＴＥＰ４１５）。
【００８０】
更に、リモコン２によるレコーダ機能が指定されていなかったとき（ＳＴＥＰ４１４でＮｏ）、又は、ＳＴＥＰ４１５におけるレコーダ処理動作が成されたとき、次に、メモリ２０５の記憶内容より、ＳＴＥＰ４１３及びＳＴＥＰ４１５で行われる処理動作による機能以外の機能が指定されたか否かが確認される（ＳＴＥＰ４１６）。テレビ装置１のディスプレイ１０５でメニュー表示となるＯＳＤ画像が表示されているときに指定されたいずれかの機能が指定されていることを確認すると（ＳＴＥＰ４１６でＹｅｓ）、確認した機能に対する処理動作が行われる（ＳＴＥＰ４１７）。尚、ＳＴＥＰ４１７で行う処理動作については、「設定処理動作」と呼び、この設定処理動作についても後述する。
【００８１】
又、ディスプレイ１０５上のＯＳＤ画像によってメニュー表示が成されているときの操作でないことが確認されると（ＳＴＥＰ４１１でＮｏ）、又は、メニュー表示時に選択可能な機能のいずれも選択されていないことが確認されると（ＳＴＥＰ４１６でＮｏ）、図２のフローチャートにおけるＳＴＥＰ２４と同様、スピーカ２１０より再生出力している音声アナウンスが終了したか否かを、ＣＰＵ２０４が確認する（ＳＴＥＰ４１８）。
【００８２】
更に、確認したリモコン操作処理が電源ＯＦＦ処理又は画面戻し処理であったとき（ＳＴＥＰ４０１又はＳＴＥＰ４０２でＹｅｓ）、又は、リモコン２での音声ガイダンス機能がＯＦＦとされているとき（ＳＴＥＰ４０３でＮｏ）、ＣＰＵ２０４がメモリ２０３より確認したリモコン操作処理を行うように、内容指定操作が成されて決定したことを示す操作要求データによる無線通信信号を、テレビ装置１に送信する（ＳＴＥＰ４１９）。
【００８３】
即ち、ＳＴＥＰ４１９による無線通信信号が送信されると、ＳＴＥＰ４０１から移行したときは、テレビ装置１が電源ＯＦＦ処理を行い、ＳＴＥＰ４０２から移行したときは、テレビ装置１が画面戻し処理を行う。そして、ＳＴＥＰ４０３から移行したときは、電源ＯＦＦ処理及び画面戻し処理以外で指定されたリモコン操作処理が、テレビ装置１において行われる。
【００８４】
そして、スピーカ２１０より再生出力している音声アナウンスが終了したことをＣＰＵ２０４が確認したとき（ＳＴＥＰ４１８でＹｅｓ）、又は、ＳＴＥＰ４１９において無線通信信号をテレビ装置１に送信すると、操作部２０１が最後に操作されてから所定時間Ｔ６が経過したか否かが、ＣＰＵ２０４によって確認される（ＳＴＥＰ４２０）。このＳＴＥＰ４２０において、所定時間Ｔ６が経過したことを確認したとき、又は、既に所定時間Ｔ６が経過していることを確認したとき（Ｙｅｓ）、図２のフローチャートにおけるＳＴＥＰ２５と同様、リモコン２がスリープ状態に遷移する（ＳＴＥＰ４２１）。
【００８５】
（４）サブ画面表示処理動作
次に、図４のフローチャートによるリモコン操作処理動作におけるＳＴＥＰ４１３でのサブ画面表示処理動作について、図５のフローチャートを参照して説明する。まず、テレビ装置１でサブ画面表示機能を動作させるために、内容指定操作が成されて決定したことを示す操作要求データによる無線通信信号を、テレビ装置１に送信する（ＳＴＥＰ５０１）。これにより、テレビ装置１では、無線通信信号より確認される操作要求データより、サブ画面表示機能が指定されたことを確認し、図６のように、ディスプレイ１０５に再生出力する画像を、メイン画面６００にサブ画面６０１が重なったものとする。
【００８６】
その後、操作部２０１によって位置設定操作がなされたか否かがＣＰＵ２０４によって確認され（ＳＴＥＰ５０２）、位置設定操作が成されたことが確認されると（Ｙｅｓ）、操作部２０１の位置設定操作によって指定された方向を示す操作要求データによる無線通信信号が、テレビ装置１に対して送信される（ＳＴＥＰ５０３）。この操作部２０１の位置設定操作によって指定される方向を示す無線通信信号を、テレビ装置１が受信することで、図６のように表示されるサブ画面６０１の位置を、リモコン２で指定された方向に移動する。
【００８７】
そして、位置設定操作が成されなかったとき（ＳＴＥＰ５０２でＮｏ）、又は、ＳＴＥＰ５０３での無線通信信号の送信が成されると、操作部２０１によって内容指定操作がなされたか否かがＣＰＵ２０４によって確認される（ＳＴＥＰ５０４）。このとき、内容指定操作がなされたことが確認されると（Ｙｅｓ）、操作部２０１が所定時間ｔだけ継続して操作される長押し操作が成されたか否かが確認される（ＳＴＥＰ５０５）。又、内容指定操作が確認されなかったとき（ＳＴＥＰ５０４でＮｏ）、ＳＴＥＰ５０２に移行する。
【００８８】
そして、操作部２０１による内容指定操作を行った期間が所定時間ｔ以内であること（長押し操作でないこと）をＣＰＵ２０４で確認すると（ＳＴＥＰ５０５でＮｏ）、ＣＰＵ２０４において、内容指定操作を行った回数ｋを１つ計数して、メモリ２０５に記憶する（ＳＴＥＰ５０６）。この内容指定操作を行った回数ｋが１であるか否かをＣＰＵ２０４が確認し（ＳＴＥＰ５０７）、計数値ｋが１となるとき（Ｙｅｓ）、サブ画面６０１の映像に対する音声の送信を要求する操作要求データをＣＰＵ２０４で生成し、無線通信信号としてテレビ装置１に送信する（ＳＴＥＰ５０８）。尚、計数値ｋについては、スリープ状態となったときに０に初期化されるものとする。
【００８９】
その後、無線通信モジュール２０２において、テレビ装置１のディスプレイ１０５で再生出力される映像に対する音声データによる無線通信信号を受信すると、受信した音声データの復号化を行い（ＳＴＥＰ５０９）、録音した音声の再生動作を開始した後（ＳＴＥＰ５１０）、ＳＴＥＰ５０２に移行する。このとき、テレビ装置１において、サブ画面６０１の映像に応じた音声信号が、音声用エンコーダ１１３でＡＤＰＣＭ方式などの符号化方式で符号化された後、無線通信モジュール１１５で無線通信信号に変換されて、リモコン２に対して送信される。リモコン２では、この無線通信信号を無線通信モジュール２０２で受信すると、この無線通信信号より音声データを取得し、音声データメモリ２１４に一時的に記憶させる。
【００９０】
そして、音声データメモリ２１４に記憶された音声データを読み出して、音声用デコーダ２０７に与えることで、ＡＤＰＣＭ方式などの符号化方式によって復号化を行った後、ＤＡＣ２０８でアナログ信号となる音声信号に変換する。これにより、テレビ装置１のディスプレイ１０５上に再生出力されているサブ画面６０１の映像に応じた音声データによる音声を、リモコン２のスピーカ２１０より再生出力する。
【００９１】
又、計数値ｋが１でないとき（ＳＴＥＰ５０７でＮｏ）、計数値ｋが２であるか否かがＣＰＵ２０４によって確認される（ＳＴＥＰ５１１）。そして、計数値ｋが２となるとき（ＳＴＥＰ５１１でＹｅｓ）、メイン画面６００の映像に対する音声の送信を要求する操作要求データをＣＰＵ２０４で生成し、無線通信信号としてテレビ装置１に送信する（ＳＴＥＰ５１２）。即ち、リモコン２のスピーカ２１０からの音声出力が、サブ画面６０１の映像に対する音声から、メイン画面６００の映像に対する音声に切り換えられる。
【００９２】
更に、テレビ装置１のスピーカ１１０からの音声出力を停止する（テレビ音声をミュートとする）ことを要求する操作要求データをＣＰＵ２０４で生成し、無線通信信号としてテレビ装置１に送信する（ＳＴＥＰ５１３）。この無線通信信号をテレビ装置１が受信することによって、テレビ装置１では、ミュート機能を実行することで、メイン画面６００の映像に対応した音声をスピーカ１１０から再生出力することを停止する。
【００９３】
その後、ＳＴＥＰ５０９及びＳＴＥＰ５１０の動作を行うことで、テレビ装置１において、サブ画面６０１の映像に応じた音声信号の音声用エンコーダ１１３での符号化が停止され、代わりに、メイン画面６００の映像に応じた音声信号が、音声用エンコーダ１１３で符号化された後、無線通信モジュール１１５で無線通信信号に変換されて、リモコン２に対して送信される。リモコン２では、この無線通信信号を無線通信モジュール２０２で受信すると、この無線通信信号より音声データを取得し、音声データメモリ２１４に一時的に記憶させる。
【００９４】
そして、音声データメモリ２１４に記憶された音声データを読み出して、音声用デコーダ２０７に与えることで、ＡＤＰＣＭ方式などの符号化方式によって復号化を行った後、ＤＡＣ２０８でアナログ信号となる音声信号に変換する。これにより、テレビ装置１のディスプレイ１０５上に再生出力されているメイン画面６００の映像に応じた音声データによる音声を、リモコン２のスピーカ２１０より再生出力する。
【００９５】
又、計数値ｋが２でないとき（ＳＴＥＰ５１１でＮｏ）、音声データの送信を停止することを要求する操作要求データをＣＰＵ２０４で生成し、無線通信信号としてテレビ装置１に送信する（ＳＴＥＰ５１４）。更に、テレビ音声のミュート機能を解除することを要求する操作要求データをＣＰＵ２０４で生成し、無線通信信号としてテレビ装置１に送信すると（ＳＴＥＰ５１５）、計数値ｋを０に初期化した後（ＳＴＥＰ５１６）、ＳＴＥＰ５０２に移行する。
【００９６】
これにより、テレビ装置１において、メイン画面６００の映像に応じた音声信号の音声用エンコーダ１１３での符号化が停止されるとともに、無線通信モジュール１１５からの無線通信信号の送信が停止される。更に、ミュート機能を解除し、メイン画面６００の映像に応じた音声信号がアンプ１０９に与えられることで、メイン画面６００の映像に応じた音声がスピーカ１１０から再生出力される。
【００９７】
又、操作部２０１による内容指定操作を行った期間が所定時間ｔより長いこと（長押し操作であること）をＣＰＵ２０４で確認すると（ＳＴＥＰ５０５でＹｅｓ）、サブ画面６０１を消去することを要求する操作要求データをＣＰＵ２０４で生成し、無線通信信号としてテレビ装置１に送信する（ＳＴＥＰ５１７）。これにより、テレビ装置１では、メイン画面６００に対する映像信号のみがデコーダ１０３より表示制御部１０４に与えられ、ディスプレイ１０５上においてメイン画面６００だけの表示となる。その後、図２のフローチャートにおけるＳＴＥＰ２５と同様、リモコン２がスリープ状態に遷移する（ＳＴＥＰ５１８）。
【００９８】
（５）レコーダ処理動作
次に、図４のフローチャートによるリモコン操作処理動作におけるＳＴＥＰ４１５でのレコーダ処理動作について、図７のフローチャートを参照して説明する。まず、テレビ装置１でリモコン２によるレコーダ機能を動作させるために、内容指定操作が成されて決定したことを示す操作要求データによる無線通信信号を、テレビ装置１に送信する（ＳＴＥＰ７０１）。その後、ＣＰＵ２０４では、リモコン２の操作部２０１によって、録音した音声の再生動作を示す操作が成されたか否かが確認される（ＳＴＥＰ７０２）。
【００９９】
尚、ＳＴＥＰ７０２における再生動作を示す操作は、操作部２０１において、例えば、位置設定操作により所定方向（第１方向）を示す操作によって確定するものであっても構わない。そして、位置設定操作の第１方向を示す操作によって確定する場合は、次のＳＴＥＰ７０３において、再生動作を要求するための操作要求データがＣＰＵ２０４で生成されるものとしても構わないし、単に、位置設定操作の第１方向を示す操作要求データがＣＰＵ２０４で生成されるものとしても構わない。又、ディスプレイ１０５に表示されるＯＳＤ画像を位置設定操作によって所定領域（第１領域）指定した後、内容指定操作を行うことで確定するように、テレビ装置１におけるＧＵＩ機能を利用するものであっても構わない。
【０１００】
再生動作を示す操作が成されたことを確認すると（ＳＴＥＰ７０２でＹｅｓ）、再生動作を行うことで決定したことを示す操作要求データがＣＰＵ２０４で生成され、この操作要求データによる無線通信信号をテレビ装置１に送信する（ＳＴＥＰ７０３）。その後、無線通信モジュール２０２において、テレビ装置１に記録された音声データによる無線通信信号を受信すると、受信した音声データの復号化を行い（ＳＴＥＰ７０４）、録音した音声の再生動作を開始する（ＳＴＥＰ７０５）。
【０１０１】
このとき、テレビ装置１において、音声データメモリ１１４に記憶した音声データが読み出された後、無線通信モジュール１１５で無線通信信号に変換されて、リモコン２に対して送信される。リモコン２では、この無線通信信号を無線通信モジュール２０２で受信すると、この無線通信信号より音声データを取得し、音声データメモリ２１４に一時的に記憶させる。
【０１０２】
その後、音声データメモリ２１４に記憶された音声データを読み出して、音声用デコーダ２０７に与えることで、ＡＤＰＣＭ方式などの符号化方式によって復号化を行った後、ＤＡＣ２０８でアナログ信号となる音声信号に変換する。これにより、テレビ装置１の音声データメモリ１１４に記憶させた音声データによる音声を、リモコン２のスピーカ２１０より再生出力する。
【０１０３】
このようにして、テレビ装置１の音声データメモリ１１４に録音した音声の再生出力を行うと、再生が終了したか否かをＣＰＵ２０４によって確認する（ＳＴＥＰ７０６）。即ち、テレビ装置１からの無線通信信号の受信が終了し、ＣＰＵ２０４が、音声データメモリ２１４に音声データがバッファリングされていないことを確認することで、録音した音声の再生が終了したことを確認する。
【０１０４】
尚、再生する音声データを全て再生したことを確認する以外に、更に操作部２０１において再生動作を終了する操作が成されたことを確認することでも、再生動作を終了するものとしても構わない。このとき、例えば、位置設定操作により所定方向（第１方向）を示す操作によって確定するものであっても構わないし、別の所定方向（第２方向）を示す操作によって確定するものであっても構わない。又、テレビ装置１に表示されたＯＳＤ画像を利用することで確定するものであっても構わない。
【０１０５】
又、再生動作を示す操作が成されていない場合（ＳＴＥＰ７０２でＮｏ）、ＣＰＵ２０４では、リモコン２の操作部２０１によって、マイク２１１より入力された音声をテレビ装置１の音声データメモリ１１４に録音する録音動作を示す操作が成されたか否かが確認される（ＳＴＥＰ７０７）。尚、この録音動作を示す操作についても、操作部２０１において、位置設定操作により所定方向（第３方向）を示す操作によって確定するものであっても構わないし、ディスプレイ１０５に表示されるＯＳＤ画像を位置設定操作によって所定領域（第２領域）指定した後、内容指定操作を行うことで確定するものであっても構わない。
【０１０６】
録音動作を示す操作が成されたことを確認すると（ＳＴＥＰ７０７でＹｅｓ）、マイク２１１に入力された音声による音声信号がＡＤＣ２１２に与えられることで、所定期間毎にサンプリングされたデジタル信号に変換された後（ＳＴＥＰ７０８）、音声用エンコーダ２１３でＡＤＰＣＭ方式などの符号化方式によって符号化される（ＳＴＥＰ７０９）。このようにして得られた音声データが、音声データメモリ２１４に与えられることで、音声データメモリ２１４に一時的に記憶される（ＳＴＥＰ７１０）。
【０１０７】
そして、音声データメモリ２１４にバッファされた音声データのデータ量が所定量を超えたか否かが、ＣＰＵ２０４によって確認される（ＳＴＥＰ７１１）。この音声データメモリ２１４に記憶された音声データのデータ量が所定量を超えたとき（ＳＴＥＰ７１１でＹｅｓ）、音声データメモリ２１４に記憶された音声データが無線通信モジュール２０２に与えられることで、無線通信信号に変換されてテレビ装置１に送信されることで、録音した音声データの転送される（ＳＴＥＰ７１２）。
【０１０８】
そして、音声データメモリ２１４に記憶された音声データのデータ量が所定量以下であるとき（ＳＴＥＰ７１１でＮｏ）、又は、ＳＴＥＰ７１２で音声データの転送がなされると、ＣＰＵ２０４で、リモコン２の操作部２０１によって、録音動作の終了を示す操作が成されたか否かが確認される（ＳＴＥＰ７１３）。尚、この録音動作の終了を示す操作についても、操作部２０１において、位置設定操作により録音動作を指定するときと同一の所定方向（第３方向）としても構わないし、録音動作を指定するときと異なる所定方向（第４方向）を示す操作によって確定するものであっても構わない。又、ディスプレイ１０５に表示されるＯＳＤ画像を位置設定操作によって所定の領域（第３領域）指定した後、内容指定操作を行うことで確定するものであっても構わない。
【０１０９】
録音動作の停止を示す操作が成されたことを確認すると（ＳＴＥＰ７１３でＹｅｓ）、音声データメモリ２１４に記憶された残りの音声データ（データ量が所定量以下となる音声データ）を読み出して、無線通信モジュール２０２より無線通信信号として送信して、テレビ装置１に転送する（ＳＴＥＰ７１４）。そして、音声データメモリ２１４に記憶された音声データが全て転送されたか否かが、ＣＰＵ２０４によって確認される（ＳＴＥＰ７１５）。この音声データメモリ２１４に記憶された音声データが全て転送されると（ＳＴＥＰ７１５でＹｅｓ）、録音した音声データの転送動作を終了したことを示す操作要求データをＣＰＵ２０４で生成した後、無線通信信号として無線通信モジュール２０２よりテレビ装置１に送信する（ＳＴＥＰ７１６）。
【０１１０】
又、録音動作を示す操作が成されていない場合（ＳＴＥＰ７０７でＮｏ）、ＳＴＥＰ７０１においてレコーダ機能を動作することを示す無線通信信号を送信してから、所定期間Ｔ７が経過したか否かが、ＣＰＵ２０４によって確認される（ＳＴＥＰ７１７）。所定期間Ｔ７が経過していない場合は（ＳＴＥＰ７１７でＮｏ）、ＳＴＥＰ７０２に移行して、ＳＴＥＰ７０２以降の動作を繰り返す。
【０１１１】
そして、再生が終了したことが確認されると（ＳＴＥＰ７０６でＹｅｓ）、又は、ＳＴＥＰ７１６で転送動作の終了を示す無線通信信号が送信されると、又は、所定期間Ｔ７が経過したことが確認されると（ＳＴＥＰ７１７でＹｅｓ）、図２のフローチャートにおけるＳＴＥＰ２５と同様、リモコン２がスリープ状態に遷移する（ＳＴＥＰ７１８）。
【０１１２】
（５−１）レコーダ機能の別例
尚、上述のように、操作部２０１の位置設定操作により指定される方向によって、又は、ＯＳＤ画像によるＧＵＩを用いることによって、再生動作の開始及び停止、又は、録音動作の開始及び停止それぞれが確認されるものとした。しかしながら、操作部２０１の内容指定操作によって、押下することで操作確認がなされるとき、所定期間より長く押下された長押しとされたとき、録音操作が行われるものと判定し、所定期間より短く押下された、再生操作が行われるものと判定するものとしても構わない。そして、録音操作又は再生操作が行われている間に、再び、操作部２０１の内容指定操作が成されることで、現在行われている録音操作又は再生操作を停止させるものとしても構わない。
【０１１３】
又、リモコン２を利用したレコーダ処理動作を行う際、マイク２１１より入力された録音対象となる音声データを、テレビ装置１の音声データメモリ１１４に記録されるものとしたが、ＨＤＤ１１６のように大容量の記録媒体を備える場合や、ＨＤＤ１１６以外にも着脱可能な記録媒体を備える場合、このＨＤＤ１１６などの記録媒体に記録するものとしても構わない。更に、記憶させる音声データの容量が小さい場合や、テレビ装置１との通信が不可能である場合は、リモコン２の音声データメモリ２１４に記録するものとしても構わない。
【０１１４】
（６）設定処理動作
次に、図４のフローチャートによるリモコン操作処理動作におけるＳＴＥＰ４１７での設定処理動作について、図８のフローチャートを参照して説明する。まず、テレビ装置１のＯＳＤ画像に表示されたメニューより選択された機能を動作させるために、内容指定操作が成されて決定したことを示す操作要求データによる無線通信信号を、テレビ装置１に送信する（ＳＴＥＰ８０１）。これにより、テレビ装置１では、無線通信信号より確認される操作要求データより、選択された設定処理動作を確認する。
【０１１５】
無線通信信号の送信を行うと、ＣＰＵ２０４がメモリ２０５内の記憶内容を確認することで、内容指定操作によって決定した設定処理動作がリモコン２の音量設定動作であるか否かが確認される（ＳＴＥＰ８０２）。そして、リモコン２の音量設定動作が指定されたことを確認すると（ＳＴＥＰ８０２でＹｅｓ）、リモコン２での音量をテストするために再生出力する音源データ（テスト音源データ）の送信を要求する操作要求データをＣＰＵ２０４で生成し、無線通信信号として無線通信モジュール２０２より送信する（ＳＴＥＰ８０３）。
【０１１６】
即ち、リモコン２のスピーカ２１０の音声出力を行うときの音量を確認するために、スピーカ２１０から再生出力するテスト用音声となるテスト音源データの送信を、テレビ装置１に対して要求する。尚、このテスト用音声となるテスト音源データは、上述した他の音源データと同様、テレビ装置１の音声データメモリ１１４に格納されている。よって、テレビ装置１からは、このテスト音源データが音声データメモリ１１４より読み出されて、無線通信モジュール１１５で無線通信とされてリモコン２に送信される。
【０１１７】
そして、無線通信モジュール２０２において、テスト用音源データによる無線通信信号を受信すると、受信した無線通信信号より得られたテスト用音源データを、音声データメモリ２１４に記憶する（ＳＴＥＰ８０４）。この音声データメモリ２１４に記憶されたテスト用音源データが読み出されて、音声用デコーダ２０７に与えられると、ＡＤＰＣＭ方式などの符号化方式によって復号化される（ＳＴＥＰ８０５）。
【０１１８】
その後、テレビ装置１のスピーカ１１０からの音声出力を停止する（テレビ音声をミュートとする）ことを要求する操作要求データをＣＰＵ２０４で生成し、無線通信信号としてテレビ装置１に送信する（ＳＴＥＰ８０６）。この無線通信信号をテレビ装置１が受信することによって、テレビ装置１では、ミュート機能を実行して、音声をスピーカ１１０から再生出力することを停止する。
【０１１９】
更に、テスト用音源データによる音声アナウンスを、音量が決定されるまで繰り返し再生出力するために、テスト用音源データを復号化して得られた音声信号を、音声用デコーダ２０７で一時的に保持させる（ＳＴＥＰ８０７）。尚、音声アナウンスを繰り返し再生出力するために、音声用デコーダ２０７が、アナウンス音声出力が終了する度に、テスト用音源データを音声データメモリ２１４より読み出して復号化を行うように、設定するものとしても構わない。
【０１２０】
このようにして、音声アナウンスの再生出力を繰り返し行うことを設定すると、音声用デコーダ２０７で復号化された音声信号をＤＡＣ２０８でアナログ信号に変換して、テスト用音源データによる音声アナウンスをスピーカ２１０から再生出力する（ＳＴＥＰ８０８）。この音声アナウンスの再生出力が開始されると、アンプ２０９の増幅率を変更して、スピーカ２１０から再生出力する音声アナウンスの音量を変更した後（ＳＴＥＰ８０９）、操作部２０１によって内容指定操作が成されて、ＳＴＥＰ８０９で変更した音量に決定したか否かがＣＰＵ２０４によって確認される（ＳＴＥＰ８１０）。
【０１２１】
そして、操作部２０１によって音量決定を行う操作が成されていない場合は（ＳＴＥＰ８１０でＮｏ）、ＳＴＥＰ８０９に移行して、アンプ２０９の増幅率を変更して、スピーカ２１０から再生出力する音声アナウンスの音量を変更する。又、操作部２０１によって音量決定を行う操作が成された場合は（ＳＴＥＰ８１０でＹｅｓ）、アンプ２０９の増幅率を確認し、その増幅率による音量コードをメモリ２０５に記憶させる（ＳＴＥＰ８１１）。尚、音量変更については、アンプ２０９の増幅率のみで行うものとしたが、ＤＡＣ２０８におけるデジタル／アナログ変換がなされる差異の増幅量によっても音量変更が成されるものとし、ＤＡＣ２０８での増幅量も合わせた音量コードとしても構わない。
【０１２２】
設定した音量に基づく音量コードをメモリ２０５に記憶させると、音声用デコーダ２０７で一時的に保持している音声信号を削除するとともに、音声データメモリ２１４においても、記憶しているテスト用音源データを削除して、スピーカ２１０からの音声アナウンスの再生出力を停止する（ＳＴＥＰ８１２）。更に、テレビ音声のミュート機能を解除することを要求する操作要求データをＣＰＵ２０４で生成し、無線通信信号としてテレビ装置１に送信する（ＳＴＥＰ８１３）。これにより、テレビ装置１において、ミュート機能を解除し、スピーカ１１０からの再生出力が可能な状態となる。
【０１２３】
又、リモコン２の音量設定動作以外の設定処理動作が指定されたことを確認すると（ＳＴＥＰ８０２でＮｏ）、リモコン２の操作部２０１が操作され、指定された設定処理動作が、リモコン２とテレビ装置１との間の無線通信が利用されて行われる（ＳＴＥＰ８１４）。尚、このＳＴＥＰ８１４での設定処理動作については、特に限定するものではなく、テレビ装置１又はリモコン２に対する各種設定事項を決定するための処理動作などが挙げられる。
【０１２４】
そして、ＳＴＥＰ８１４における設定処理動作が完了したことを示す状態データと、処理動作を完了したことを示す音源データとにより成る無線通信信号を、無線通信モジュール２０２において受信したか否かが、ＣＰＵ２０４によって確認される（ＳＴＥＰ８１５）。設定処理動作が完了したことを示す無線通信信号の受信が確認されなかったとき（ＳＴＥＰ８１５でＮｏ）、再び、ＳＴＥＰ８１４に移行して、指定された設定処理動作が成される。
【０１２５】
又、設定処理動作が完了したことを示す無線通信信号の受信が確認されたとき（ＳＴＥＰ８１５でＹｅｓ）、受信した無線通信信号からの音源データを音声データメモリ２１４に記憶した後、この音源データを音声用デコーダ２０７で復号化する（ＳＴＥＥＰ８１６）。そして、復号化して得られた音声信号をＤＡＣ２０８でアナログ信号に変換した後、アンプ２０９で増幅して、スピーカ２１０より、「処理完了しました」などといった音声アナウンスを再生出力する（ＳＴＥＰ８１７）。
【０１２６】
このスピーカ２１０からの音声アナウンスを開始すると、バイブレーションユニット２１５が振動動作を開始するように、ＣＰＵ２０４がバイブレーションユニット２１５を制御する（ＳＴＥＰ８１８）。このバイブレーションユニット２１５の振動が開始すると、現在、スピーカ２１０より再生出力している音声アナウンスが終了したか否かを、ＣＰＵ２０４が確認する（ＳＴＥＰ８１９）。よって、現在、スピーカ２１０より再生出力している音声アナウンスが終了したことを、ＣＰＵ２０４が確認すると（ＳＴＥＰ８１９でＹｅｓ）、ＣＰＵ２０４によって、バイブレーションユニット２１５の振動が停止される（ＳＴＥＰ８２０）。
【０１２７】
そして、ＳＴＥＰ８１３において、テレビ音声のミュート機能を解除する溜の無線通信信号としてテレビ装置１に送信した後、又は、ＳＴＥＰ８２０において、バイブレーションユニット２１５の振動が停止した後、図２のフローチャートにおけるＳＴＥＰ２５と同様、リモコン２がスリープ状態に遷移する（ＳＴＥＰ８２１）。
【０１２８】
上述のように、リモコン２における各動作について、図２、図４、図５、図７、及び図８のフローチャートに基づいて、各動作フローが直列的に行われるものとして説明した。しかしながら、これらの各動作フローを並列的に行うものとしても構わないし、１つの動作フローを行っている間に、別の動作フローを行うための割り込み信号がＣＰＵ２０４に与えられ、割り込み信号によって指定される別の動作フローが行われるようにしても構わない。
【０１２９】
（テレビ装置による各種動作処理）
上述のように、テレビ装置１及びリモコン２が構成されるリモコンシステムにおける、テレビ装置１による各種動作処理の詳細について、以下に説明する。
【０１３０】
（１）基本動作
まず、電源ＯＮとされたときのテレビ装置１の動作について、図９のフローチャートを参照して説明する。まず、リモコン２から無線通信信号又は操作部１１７の操作によって、電源ＯＮとすることが要求されたことを、ＣＰＵ１１１が確認すると（ＳＴＥＰ９０１でＹｅｓ）、不図示の電源回路よりテレビ装置１の各ブロックに対して電源供給が成されて、電源ＯＮとされる（ＳＴＥＰ９０２）。尚、テレビ装置１は、主電源がＯＮとされた状態で、ＣＰＵ１１１の一部や、無線通信モジュール１１５などに電力が与えられているものとする。
【０１３１】
このとき、例えば、図２のフローチャートによるリモコン２の基本動作のＳＴＥＰ６で無線通信モジュール２０２より送信される無線通信信号を、無線通信モジュール１１５で受信したとき、その無線通信信号の操作要求データをＣＰＵ１１１が確認する。そして、その操作要求データより、テレビ装置１を電源ＯＮとすることが要求されていることを、ＣＰＵ１１１が確認するため、テレビ装置１の電源をＯＮとする。又、操作部１１７が操作されて電源ＯＮが要求されることをＣＰＵ１１１が確認することでも、テレビ装置１の電源をＯＮとする。
【０１３２】
その後、電源ＯＮとしたことを示す状態データをＣＰＵ１１１で生成し、無線通信モジュール１１５において符号化及び変調することで、無線通信信号として、リモコン２に対して送信する（ＳＴＥＰ９０３）。尚、操作部１１７によって電源ＯＮとされた場合は、リモコン２に対して、電源ＯＮとしたことを示す状態データによる無線通信信号を送信しなくても構わない。
【０１３３】
そして、電源ＯＮの要求が確認されなかったとき（ＳＴＥＰ９０１でＮｏ）、又は、ＳＴＥＰ９０３で無線通信信号を送信すると、無線通信モジュール１１５が、音源データを要求する無線通信信号を受信したか否かを、ＣＰＵ１１１によって確認される（ＳＴＥＰ９０４）。音源データを要求する操作要求データより成る無線通信信号の受信が、ＣＰＵ１１１によって確認されると（ＳＴＥＰ９０４でＹｅｓ）、操作要求データにより要求される音源データを音声データメモリ１１４より読み出されて、無線通信信号として、無線通信モジュール１１５よりリモコン２に対して送信される（ＳＴＥＰ９０５）。
【０１３４】
即ち、例えば、リモコン２が、図２のフローチャートにおけるＳＴＥＰ１０で、「ポインタ移動せよ」という音声による音源データの送信を要求したとき、この操作要求データをＣＰＵ１１１が確認すると、音声データメモリ１１４より「ポインタ移動せよ」という音声による音源データが読み出される。そして、無線通信モジュール１１５において、この音源データが符号化及び変調されることで、無線通信信号とされて、リモコン２に対して送信される。
【０１３５】
又、音源データの要求が確認されなかったとき（ＳＴＥＰ９０４でＮｏ）、又は、ＳＴＥＰ９０５で無線通信信号を送信すると、録音するための音声データによる無線通信信号を無線通信モジュール１１５で受信したか否かが、ＣＰＵ１１１で確認される（ＳＴＥＰ９０６）。録音するための音声データによる無線通信信号の受信が確認されると（ＳＴＥＰ９０６でＹｅｓ）、無線通信モジュール１１５で受信した無線通信信号より得られた音声データが、音声データメモリ１１４に記憶される（ＳＴＥＰ９０７）。
【０１３６】
即ち、リモコン２が、図７のフローチャートにおけるＳＴＥＰ７０８〜ＳＴＥＰ７１５で、マイク２１１より入力して得られた録音用の音声データを転送すると、転送された録音用の音声データをＣＰＵ１１１が確認する。そして、受信した無線通信信号を復調した後、復号化することにより得られる録音用の音声データを、音声データメモリ１１４に記憶する。
【０１３７】
尚、このように録音用の音声データを記録するとき、音声データメモリ１１４内に記憶されるリモコン２のレコーダ機能によって録音される音声データは、異なる録音日時毎にファイル管理されるものとしても構わない。又、この音声データメモリ１１４における記憶可能な容量が小さく、受信した無線通信信号から得られる音声データの記憶が不可能であるとき、警告情報となる無線通信信号をリモコン２に対して送信するようにしても構わない。
【０１３８】
又、録音用の音声データの受信が確認されなかったとき（ＳＴＥＰ９０６でＮｏ）、又は、ＳＴＥＰ９０７で音声データが音声データメモリ１１４へ記憶されると、ミュート機能の実行を要求することを示す操作要求データによる無線通信信号を無線通信モジュール１１５で受信したか否かが、ＣＰＵ１１１で確認される（ＳＴＥＰ９０８）。ミュート機能の実行が要求されていることを確認すると（ＳＴＥＰ９０８でＹｅｓ）、デコーダ１０３から音声信号がアンプ１０９に与えられることが禁止されるか、又は、アンプ１０９による増幅率が０とされることで、スピーカ１１０から音声が出力されない状態とされる（ＳＴＥＰ９０９）。
【０１３９】
即ち、例えば、リモコン２が、図５のフローチャートにおけるＳＴＥＰ５１３で、スピーカ１１０からの音声出力を停止することを要求すると、無線通信モジュール１１５で受信した無線通信信号より得られる操作要求データより、ミュート機能の実行要求が確認される。そして、デコーダ１０３から音声信号がアンプ１０９に与えられることが禁止されるか、又は、アンプ１０９による増幅率が０とされ、スピーカ１１０からの音声の再生出力が禁止される。このミュート機能についても、操作部１１７が操作されることによって実行されるものとしても構わない。
【０１４０】
又、ミュート機能の実行要求が確認されなかったとき（ＳＴＥＰ９０８でＮｏ）、又は、ＳＴＥＰ９０９でミュート機能を実行すると、リモコン２のスピーカ２１０で再生する音声データの送信要求を行う操作要求データによる無線通信信号を、無線通信モジュール１１５で受信したか否かが、ＣＰＵ１１１で確認される（ＳＴＥＰ９１０）。デコーダ１０３で得られた音声信号による音声データの送信が要求されていることを、ＣＰＵ１１１が確認すると（ＳＴＥＰ９１０でＹｅｓ）、デコーダ１０３からの音声信号を音声用エンコーダ１１３によって符号化して、音声データメモリ１１４に一時的に記憶する（ＳＴＥＰ９１１）。
【０１４１】
その後、ＳＴＥＰ９１１で音声データメモリ１１４に記憶された音声データを読み出して、無線通信モジュール１１５で無線通信信号として、リモコン２に送信する（ＳＴＥＰ９１２）。このとき、ＳＴＥＰ９１１で符号化される音声信号に対応する映像信号を、デコーダ１０３からフレームメモリ１０７に一時的に記憶させて、リモコン２で音声出力されるタイミングに同期してディスプレイ１０５に再生表示するように設定する（ＳＴＥＰ９１３）。このＳＴＥＰ９１３の動作を、「画像同期遅延処理動作」と呼び、その説明については後述する。
【０１４２】
即ち、例えば、リモコン２が、図５のフローチャートにおけるＳＴＥＰ５０８で、サブ画面６０１の映像に対する音声の送信を要求すると、無線通信モジュール１１５で受信した無線通信信号より得られる操作要求データより、ディスプレイ１０５に再生表示するサブ画面６０１の映像に対応した音声信号による音声データが生成されて、リモコン２に送信される。そして、サブ画面６０１に再生出力する映像シーンが、リモコン２における音声出力に同期するように、サブ画面６０１に再生出力する映像信号のタイミングがフレームメモリ１０７を利用して遅延される。
【０１４３】
又、リモコン２のスピーカ２１０で再生する音声データの送信要求が確認されなかったとき（ＳＴＥＰ９１０でＮｏ）、又は、ＳＴＥＰ９１３で画像同期遅延処理動作が行われると、ミュート機能の解除を要求することを示す操作要求データによる無線通信信号を無線通信モジュール１１５で受信したか否かが、ＣＰＵ１１１で確認される（ＳＴＥＰ９１４）。ミュート機能の解除が要求されていることを確認すると（ＳＴＥＰ９１４でＹｅｓ）、デコーダ１０３から音声信号がアンプ１０９に与えられることが許可されるか、又は、アンプ１０９による増幅率が元の値とされることで、スピーカ１１０から音声が出力可能な状態とされる（ＳＴＥＰ９１５）。
【０１４４】
即ち、例えば、リモコン２が、図５のフローチャートにおけるＳＴＥＰ５１５で、スピーカ１１０からの音声出力を再開することを要求すると、無線通信モジュール１１５で受信した無線通信信号より得られる操作要求データより、ミュート機能の解除要求が確認される。そして、デコーダ１０３から音声信号がアンプ１０９に与えられることが許可されるか、又は、アンプ１０９による増幅率がミュート機能実行前の増幅率とされ、スピーカ１１０からの音声の再生出力が禁止される。このミュート機能の解除についても、操作部１１７が操作されることによって実行されるものとしても構わない。
【０１４５】
又、ミュート機能の解除要求が確認されなかったとき（ＳＴＥＰ９１４でＮｏ）、又は、ＳＴＥＰ９１５でミュート機能を解除すると、操作部１１７が操作されて、リモコン２を探査すること（以下、「迷子探し操作」と呼ぶ）が要求されたか否かが、ＣＰＵ１１１で確認される（ＳＴＥＰ９１６）。操作部１１７により迷子探し操作の要求が成されたとき、リモコン２が音声出力して居場所を放置するための音源データが、音声データメモリ１１４より読み出されて、無線通信信号として無線通信モジュール１１５より送信される（ＳＴＥＰ９１７）。この迷子探し操作が行われる際のリモコン２の動作については、後述する。
【０１４６】
更に、迷子探し操作の要求が確認されなかったとき（ＳＴＥＰ９１６でＮｏ）、又は、ＳＴＥＰ９１７で音源データによる無線通信信号を送信すると、リモコン２又は操作部１１７によって、テレビ装置１の電源をＯＦＦとすることが要求されているか否かが、ＣＰＵ１１１で確認される（ＳＴＥＰ９１８）。そして、電源ＯＦＦの要求がない場合は（ＳＴＥＰ９１８でＮｏ）、ＳＴＥＰ９０１に移行して、ＳＴＥＰ９０１以降の動作を行う。又、電源ＯＦＦが要求された場合は（ＳＴＥＰ９１８でＹｅｓ）、電源ＯＮを要求されたか否かを検出するブロックのみ電源を供給し、テレビ装置１における他の残りのブロックに与える電源供給を停止する（ＳＴＥＰ９１９）。
【０１４７】
尚、図９のフローチャートでは不図示であるが、リモコン２が図２のフローチャートのＳＴＥＰ３において、操作部２０１により内容指定操作がなされて、ＳＴＥＰ４で無線通信信号を送信したとき、この無線通信信号を受信したテレビ装置１は、ＳＴＥＰ９０２以降のように電源ＯＮとなっている場合は、リモコン２に対して、ＳＴＥＰ９０３と同様の応答信号となる無線通信信号を送信するものとしても構わない。又、操作部１１７又はリモコン２によって、ＯＳＤ画像によるＧＵＩのディスプレイ１０５への表示が要求されたときは、要求されたＯＳＤ画像が画像記憶部１０６より読み出して、ディスプレイ１０５に再生表示する。
【０１４８】
更に、迷子探し操作の要求がなされて、ＳＴＥＰ９１７で音源データによる無線通信信号を送信するとき、この無線通信信号をリモコン２が受信したことを示す応答信号となる無線通信信号が、リモコン２より送信されて、無線通信モジュール１１５で受信されるまで、音源データによる無線通信信号を繰り返し送信する。これにより、迷子探し操作によって探査するリモコン２に対して、迷子探し操作に利用するためにテレビ装置１が送信する無線通信信号を確実に受信させることができる。
【０１４９】
（２）テレビ画像同期遅延処理動作
次に、図９のフローチャートによる基本動作におけるＳＴＥＰ９１３での画像同期遅延処理動作について、図１０のフローチャートを参照して説明する。上述したように、音声用エンコーダ１１３によって符号化された音声データが無線通信信号として送信されると、音声用エンコーダ１１３によって符号化される前の音声信号に対応した映像信号による映像が、リモコン２で音声出力に同期するように遅延して、ディスプレイ１０５に再生表示される。
【０１５０】
このとき、まず、ＣＰＵ１１１によって、デコーダ１０３から表示制御部１０４に映像信号が与えられている状態を、デコーダ１０３からフレームメモリ１０７で一時記憶した後に表示制御部１０４に与えられる状態に切り換えられる（ＳＴＥＰ１００１）。これにより、デコーダ１０３から出力される映像信号がフレームメモリ１０７に与えられて、一時的な録画動作が開始される（ＳＴＥＰ１００２）。
【０１５１】
そして、ＣＰＵ１１１では、まず、デコーダ１０３から与えられる音声信号を音声用エンコーダ１１３で符号化した後、音声データメモリ１１４に一時的に記憶され、無線通信モジュール１１５によって読み出されて無線通信信号されるまでにかかる所要時間Ｔａが算出される（ＳＴＥＰ１００３）。次に、無線通信モジュール１１５で生成された無線通信信号がリモコン２まで送信されるときにかかる時間Ｔｂが予測される（ＳＴＥＰ１００４）。
【０１５２】
尚、ＳＴＥＰ１００４で算出する時間Ｔｂについては、例えば、まず、リモコン２から送信される無線通信信号を無線通信モジュール１１５で受信したとき、その受信した時刻ｔａと、リモコン２からの無線通信信号に与えられたタイムスタンプなどからリモコン２から送信された時刻ｔｂとを確認して、メモリ１１２に記憶する。そして、ＳＴＥＰ１００４で算出動作を行う際、メモリ１１２に記録した時刻ｔａ，ｔｂをＣＰＵ１１１が読み出して減算することで、リモコン２への送信時間となる時間Ｔｂを推測する。
【０１５３】
更に、無線通信モジュール２０２が無線通信信号を受信してから、音声データメモリ２１４を介して音声用デコーダ２０７で復号化された後、スピーカ２１０で音声が再生出力されるまでにかかる時間Ｔｃの算出結果を、リモコン２から送信される無線通信信号を受信することにより取得する（ＳＴＥＰ１００５）。尚、この時間Ｔｃは、リモコン２のＣＰＵ２０４で算出され、その算出結果となるデータが、リモコン２から送信される無線通信信号として、無線通信モジュール２０２より送信される。これにより、テレビ装置１では、無線通信モジュール１１５で受信し、ＣＰＵ１１１に与えることで、ＣＰＵ１１１で時間Ｔｃが確認される。
【０１５４】
このようにして、各処理にかかる時間Ｔａ〜Ｔｃが算出されると、ＣＰＵ１１１では更に、この時間Ｔａ〜Ｔｃを総計することで、デコーダ１０３で得られた音声信号がリモコン２のスピーカ２１０で音声出力されるまでの遅延時間Ｔｄ（＝Ｔａ＋Ｔｂ＋Ｔｃ）が求められる（ＳＴＥＰ１００６）。そして、ＣＰＵ１１１では、これ遅延時間Ｔｄによって、デコーダ１０３で得られた映像信号がフレームメモリ１０７に格納されてから、表示制御部１０４によって読み出されてディスプレイ１０５に再生出力されるまでの時間差が決定される（ＳＴＥＰ１００７）。
【０１５５】
このＳＴＥＰ１００７によって決定された時間差分だけ遅延して、デコーダ１０３よりフレームメモリ１０７に記録した映像信号が、表示制御部１０４によって読み出されることで、リモコン２で再生出力する音声に対して同期した映像シーンがディスプレイ１０５に再生表示される（ＳＴＥＰ１００８）。このように、リモコン２のスピーカ２１０で再生出力する音声に対応する映像を、デコーダ１０３で復号化したときよりも遅延させてディスプレイ１０５に再生出力しているとき、リモコン２より、デコーダ１０３からの音声信号の送信停止が要求されているか否かが確認される（ＳＴＥＰ１００９）。
【０１５６】
即ち、例えば、リモコン２において、図５のフローチャートのＳＴＥＰ５１４における音声データの送信停止の要求がなされたとき、ＳＴＥＰ１００９では、この音声データの送信停止の要求となる無線通信信号を、無線通信モジュール１１５によって受信したか否かが確認される。このとき、デコーダ１０３からの音声信号の送信停止が要求されていない場合は（ＳＴＥＰ１００９でＮｏ）、ＳＴＥＰ１００８に移行して、算出した遅延時間に基づいて、ディスプレイ１０５への映像表示を遅延させる。
【０１５７】
そして、デコーダ１０３からの音声信号の送信停止が要求されていることを確認した場合は（ＳＴＥＰ１００９でＹｅｓ）、フレームメモリ１０７を介して表示制御部１０４に映像信号を与えることを停止し、デコーダ１０３から直接、表示制御部１０４に映像信号を与える（ＳＴＥＰ１０１０）。尚、このデコーダ１０３から表示制御部１０４への供給路の切換を行うとき、音声データメモリ１１４などを用いて、デコーダ１０３からの音声信号を遅延させた後、音声信号及び映像信号の読み出し時間を変更して、音声信号及び映像信号それぞれの遅延量が徐々に解消されるようにしても構わない。このとき、遅延量が解消されると、デコーダ１０３からの音声信号及び映像信号のそれぞれが、ＤＡＣ１０８及び表示制御部１０４に直接与えられる。
【０１５８】
（迷子探し操作時におけるリモコンでの処理動作）
上述のように、テレビ装置１及びリモコン２が構成されるリモコンシステムにおける、リモコン２の迷子探し操作時におけるリモコン２側での動作の詳細について、図１１のフローチャートを参照して以下に説明する。即ち、テレビ装置１の操作部１１７が操作されて、リモコン２に対する迷子探し操作が要求されたときの、リモコン２側の動作について、以下で説明する。
【０１５９】
上述したように、テレビ装置１によって、図９のフローチャートにおけるＳＴＥＰ９１７での動作を行い、迷子探し操作に使用する音源データの無線通信信号が送信されると、リモコン２では、この無線通信信号を無線通信モジュール２０２で受信する。このテレビ装置１からの無線通信信号を受信したことをワッチドッグ２０３が確認することで（ＳＴＥＰ１１０１）、ワッチドッグ２０３よりＣＰＵ２０４に信号が与えられて、リモコン２のスリープ状態が解除される（ＳＴＥＰ１１０２）。即ち、スピーカ２１０より音声出力するために必要な電力が供給されるように、ＣＰＵ２０４によって電源部２０６が制御されることで、スリープ状態から起動状態に遷移する。
【０１６０】
起動状態に遷移したリモコン２では、テレビ装置１からの無線通信信号を受信するために、無線通信モジュール２０２による受信動作が成されて、受信した無線通信信号より迷子探し操作用の音源データを取得する（ＳＴＥＰ１１０３）。このようにして、ＳＴＥＰ１１０３でテレビ装置１からの無線通信信号を正常に受信すると、正常に受信したことをテレビ装置１に通知するための応答信号をＣＰＵ２０４において生成し、この応答信号による無線通信信号を、無線通信モジュール２０２からテレビ装置１に送信する（ＳＴＥＰ１１０４）。
【０１６１】
その後、ＳＴＥＰ１１０３で得られた音源データが、音声データメモリ２１４に与えられて、音声データメモリ２１４に記憶されると（ＳＴＥＰ１１０５）、この音声データメモリ２１４に記憶された音源データが音声用デコーダ２０７によって読み出されて、ＡＤＰＣＭ方式などの符号化方式によって符号化される（ＳＴＥＰ１１０６）。この迷子探し操作用の音源データによる音声アナウンスを、ユーザにリモコン２が発見されて操作されるまで繰り返し再生出力されるため、繰り返し再生を行うための設定が成される（ＳＴＥＰ１１０７）。
【０１６２】
即ち、ＳＴＥＰ１１０７では、図８のフローチャートにおけるＳＴＥＰ８０７と同様、迷子探し操作用の音源データを復号化して得られた音声信号を、音声用デコーダ２０７で一時的に保持させることで、繰り返し再生を行うための設定が成される。尚、音声アナウンスを繰り返し再生出力するために、音声用デコーダ２０７が、アナウンス音声出力が終了する度に、迷子探し操作用の音源データを音声データメモリ２１４より読み出して復号化を行うように、設定するものとしても構わない。
【０１６３】
更に、音量を最大とする音量コードがメモリ２０５より読み出されて、ＣＰＵ２０４によって、アンプ２０９の増幅率を最大に変更するなどして、スピーカ２１０から再生出力する音声の音量が最大となるように設定する（ＳＴＥＰ１１０８）。このように、迷子探し操作用の音源データによるアナウンス音声出力の繰り返し設定と、音量を最大とする設定が成されると、音声用デコーダ２０７で復号化された音声信号をＤＡＣ２０８でアナログ信号に変換して、迷子探し操作用の音源データによる音声アナウンスをスピーカ２１０から再生出力する（ＳＴＥＰ１１０９）。
【０１６４】
この音声アナウンスの再生出力が開始されると、ＣＰＵ２０４によって、音声アナウンスの再生出力が開始されてから所定時間Ｔ８が経過したか否かが確認される（ＳＴＥＰ１１１０）。そして、所定時間Ｔ８が経過していない場合は（ＳＴＥＰ１１１０でＮｏ）、操作部２０１が操作されたか否かがＣＰＵ２０４によって確認される（ＳＴＥＰ１１１１）。この操作部２０１への操作が確認されなかった場合は（ＳＴＥＰ１１１１でＮｏ）、ＳＴＥＰ１１１０に移行して、所定時間Ｔ８の経過が確認される。このようにして、音声アナウンス開始後の所定時間Ｔ８の経過と、リモコン２の操作部２０１への操作の有無が、ＣＰＵ２０４によって確認される。
【０１６５】
そして、アナウンス開始後の所定時間Ｔ８の経過が確認されたとき（ＳＴＥＰ１１１０でＹｅｓ）、又は、操作部２０１への操作が確認されたとき（ＳＴＥＰ１１１１でＹｅｓ）、音声用デコーダ２０７で一時的に保持している音声信号を削除するとともに、音声データメモリ２１４においても、記憶している迷子探し操作用の音源データを削除して、スピーカ２１０からの音声アナウンスの再生出力を停止する（ＳＴＥＰ１１１２）。
【０１６６】
この音声アナウンスの再生出力の停止がなされると、音声アナウンスの中断処理から所定時間Ｔ９が経過したか否かが、ＣＰＵ２０４によって確認される（ＳＴＥＰ１１１３）。そして、音声アナウンスの中断処理から所定時間Ｔ９が経過したことが確認されると（ＳＴＥＰ１１１３でＹｅｓ）、図２のフローチャートにおけるＳＴＥＰ２５と同様、リモコン２がスリープ状態に遷移する（ＳＴＥＰ１１１４）。
【０１６７】
尚、ＳＴＥＰ１１０８で最大音量に設定したとき、元の音量コードをメモリ２０５に記憶するようにしても構わない。このようにすることで、ＳＴＥＰ１１１２で、迷子探し操作用の音源データによる音声アナウンスの再生出力を停止したとき、メモリ２０５に記憶した元の音量コードに応じて、アンプ２０９の増幅率などを設定することで、スピーカ２１０からの音量を元の音量に戻すことができる。又、テレビ装置１の操作部１１７が操作されて、迷子探し操作の停止が要求されると、リモコン２での音声アナウンスの再生出力を停止するようにしても構わない。
【産業上の利用可能性】
【０１６８】
本発明は、上述したテレビ装置に対するリモコンシステムに限らず、ＧＵＩ表示可能なディスプレイを備える電子機器に対するリモコンシステムに適用可能である。
【図面の簡単な説明】
【０１６９】
【図１】は、本発明の実施形態のリモコンシステムにおける各装置の内部構成と、その関係を示すブロック図である。
【図２】は、図１のリモコンシステムにおけるリモコンの基本動作を示すフローチャートである。
【図３】は、図１のリモコンシステムにおけるテレビ装置のディスプレイにおける画像表示例を示す図である。
【図４】は、図２のフローチャートにおけるリモコン操作処理動作を示すフローチャートである。
【図５】は、図４のフローチャートにおけるサブ画面表示処理動作を示すフローチャートである。
【図６】は、図１のリモコンシステムにおけるテレビ装置のディスプレイにおけるサブ画面表示例を示す図である。
【図７】は、図４のフローチャートにおけるレコーダ処理動作を示すフローチャートである。
【図８】は、図４のフローチャートにおける設定処理動作を示すフローチャートである。
【図９】は、図１のリモコンシステムにおけるテレビ装置の基本動作を示すフローチャートである。
【図１０】は、図９のフローチャートにおけるテレビ画像同期遅延処理動作を示すフローチャートである。
【図１１】は、図１のリモコンシステムにおけるリモコンの迷子探し操作時の動作を示すフローチャートである。
【符号の説明】
【０１７０】
１    テレビ装置
２    リモコン
１０１    放送受信Ｉ／Ｆ
１０２    チューナ
１０３    デコーダ
１０４    表示制御部
１０５    ディスプレイ
１０６    画像記憶部
１０７    フレームメモリ
１０８    ＤＡＣ
１０９    アンプ
１１０    スピーカ
１１１    ＣＰＵ
１１２    メモリ
１１３    音声用エンコーダ
１１４    音声データメモリ
１１５    無線通信モジュール
１１６    ＨＤＤ
２０１    操作部
２０２    無線通信モジュール
２０３    ワッチドッグ
２０４    ＣＰＵ
２０５    メモリ
２０６    電源部
２０７    音声用デコーダ
２０８    ＤＡＣ
２０９    アンプ
２１０    スピーカ
２１１    マイク
２１２    ＡＤＣ
２１３    音声用エンコーダ
２１４    音声データメモリ
２１５    バイブレーションユニット
【図１】
2008219820.tif 000003
【図２】
2008219820.tif 000004
【図３】
2008219820.tif 000005
【図４】
2008219820.tif 000006
【図５】
2008219820.tif 000007
【図６】
2008219820.tif 000008
【図７】
2008219820.tif 000009
【図８】
2008219820.tif 000010
【図９】
2008219820.tif 000011
【図１０】
2008219820.tif 000012
【図１１】
2008219820.tif 000013
【手続補正書】
【提出日】平成19年4月4日(2007.4.4)
【手続補正１】
【補正対象書類名】明細書
【補正対象項目名】０００２
【補正方法】変更
【補正の内容】
【０００２】
近年、テレビなどの電子機器では、本体の高機能化に伴い、リモコン自体も高機能化している。
【特許文献１】特開平１０−２４３４７６号公報
【特許文献２】特開２００２−２４７６７０号公報
【手続補正２】
【補正対象書類名】明細書
【補正対象項目名】０００３
【補正方法】変更
【補正の内容】
【０００３】
しかし、このような高機能化によって電池の寿命が短くなっては、使いやすいリモコンとはいえない。そこで、本発明は、高機能化にも対応できる、より使いやすいリモコン及びテレビを提供することを目的とする。